(57)【特許請求の範囲】
【請求項１】
原稿載置台に載置された原稿の画像を読み取って所定の転写用紙に複写する複写装置であって、
見開き原稿の各ページの画像を、当該見開き原稿の綴じている部分を外さずに読み取る画像読取部と、
前記画像読取部が読み取る各ページの画像を、前記原稿載置台に載置された原稿の状態と前記転写用紙の形態とに基づいて、当該転写用紙上の転写結果が中綴じ可能な冊子となるように、当該転写用紙の表面または裏面の左右の何れか一方に配置するページ順序を決定するページ配置制御部と、
前記ページ配置制御部により決定されたページ順序に従って、前記画像読取部が読み取った各ページの画像を前記転写用紙に複写する画像出力部と、
を備えたことを特徴とする複写装置。
【請求項２】
前記ページ配置制御部は、縦方向置きか横方向置きかを示す前記見開き原稿の載置方向、縦書きか横書きかを示す画像の内容、前記見開き原稿の綴じ方向、前記転写用紙のサイズ、前記転写用紙のセット向き、および転写結果により形成される冊子の綴じ方向のうちの少なくとも１つに基づいて、前記ページ順序を決定することを特徴とする請求項１に記載の複写装置。
【請求項３】
前記ページ配置制御部は、前記画像読取部により読み取られた前記画像の総ページ数を検知し、検知した総ページ数に基づいて、前記ページ順序を決定することを特徴とする請求項１または２に記載の複写装置。
【請求項４】
前記ページ配置制御部は、前記転写用紙の表面および裏面の画像の配置位置が略同じとなるように、前記画像読取部により読み取られた前記画像の配置位置を決定することを特徴とする請求項１から３のうちの何れか１項に記載の複写装置。
【請求項５】
前記ページ配置制御部は、前記画像読取部により読み取られた前記画像が、前記転写用紙の４辺に設定された消込み範囲の内側に配置されるように、前記画像読取部により読み取られた前記画像の配置位置を決定することを特徴とする請求項１から４のうちの何れか１項に記載の複写装置。
【請求項６】
前記ページ配置制御部は、前記転写用紙の表面および裏面の左右のそれぞれに、２ページ分以上の画像を配置させることを特徴とする請求項１から５のうちの何れか１項に記載の複写装置。
【請求項７】
前記２ページ分の画像の境界を示す指示マークを前記転写用紙上に印刷させる指示マーク形成部を備えたことを特徴とする請求項６に記載の複写装置。
【請求項８】
利用者からの指示に基づいて、前記ページ配置制御部による前記画像の配置位置の決定を制御する配置位置指示部を備えることを特徴とする請求項１から７のうちの何れか１項に記載の複写装置。
【請求項９】
前記画像読取部は、前記見開き原稿の左右のページの画像をページ単位で読み取ることを特徴とする請求項１から８のうちの何れか１項に記載の複写装置。
【請求項１０】
前記画像読取部は、前記見開き原稿の左右ページの画像を一度に読み取るものであり、
前記画像読取部により読み取られた前記左右のページ画像を表す見開き画像を、前記左右のページのそれぞれに分割する分割部を備え、
前記画像出力部は、前記ページ配置制御部により決定されたページ順序に従って、前記分割部により分割された前記左右のページの画像を前記転写用紙に複写する
ことを特徴とする請求項１から８のうちの何れか１項に記載の複写装置。
【請求項１１】
前記画像読取部により読み取られた画像を記憶する記憶部を備えたことを特徴とする請求項１から１０のうちの何れか１項に記載の複写装置。
【請求項１２】
前記画像読取部が読み取る各ページを、利用者に案内する案内部を備えたことを特徴とする請求項１から１１のうちの何れか１項に記載の複写装置。
【請求項１３】
前記案内部は、前記見開き原稿の前記原稿載置台への載置位置および向きのうちの少なくとも一方を前記利用者に案内することを特徴とする請求項１２に記載の複写装置。
【請求項１４】
前記ページ配置制御部により決定されたページ順序に従って、前記画像読取部が読み取った各ページの画像を前記転写用紙に複写した場合の画像を、前記画像出力部により前記転写用紙に複写するのに先立って利用者に提示する表示部を備えたことを特徴とする請求項１から１３のうちの何れか１項に記載の複写装置。
【請求項１５】
前記表示部に提示した画像に基づいて、前記画像読取部が読み取った各ページの画像の配置形態の変更を前記利用者から受け付ける変更受付部を備えたことを特徴とする請求項１４に記載の複写装置。
【発明の詳細な説明】
【０００１】
【発明の属する技術分野】
本発明は、原稿画像を読み取って用紙の表面や裏面に複写する複写装置に関する。
【０００２】
【従来の技術】
印刷用紙の表裏両面に複写することができる両面複写装置が、既に広く使用されている。このような両面複写装置の一機能として、左右に開いた状態の見開き原稿の画像を１枚の記録紙の両面に印刷して冊子にする機能（以下冊子複写機能という）も提案されている。
【０００３】
ここで、冊子を作成する複写装置の一例として、表裏両面に画像が形成された小冊子や書籍などの見開き原稿を複写して、この原稿ページ順と冊子にしたときのページ順とが一致するように、つまり見開き原稿の表裏を守ったコピーを作成するものが、たとえば特開平６−１３０７５７号に提案されている。
【０００４】
この特開平６−１３０７５７号に提案されている方法では、感光体ドラム上から中間転写体に転写された、第１回目のスキャンによって形成された前半部と後半部の像のうちの後半部の像を１枚目の記録紙に転写し、この記録紙をＤｕｐｌｅｘユニットに転送し、次いで第２回目のスキャンによって形成された前半部と後半部の像のうちの前半部の像をＤｕｐｌｅｘユニットから搬送した前記１枚目の記録紙の裏側に転写し、この記録紙を排紙トレーに排出し、前記第２回目のスキャンによって形成された後半部の像を２枚目の記録紙に転写し、この記録紙をＤｕｐｌｅｘユニットに転送し、これらの操作を必要回数反復するようにしている。
【０００５】
【発明が解決しようとする課題】
しかしながら、特開平６−１３０７５７号の冊子複写機能は、見開き原稿の半分のサイズの用紙に両面出力するもので、中綴じ冊子にすることができない。すなわち、両面複写でかつ半折で中綴じ可能にする際には、複写された転写紙（複写物）を束ねて２つ折りにし、折り目の部分に沿ってステープラなどで止め、小冊子や週刊誌のように見開きページの中央で綴じる必要があるが、見開き原稿の半分のサイズの用紙に両面印刷したのでは、２つ折りにして中綴じすることはできない。
【０００６】
また、前記特開平６−１３０７５７号に提案されている方法では、原稿の１枚目である表紙をプラテンガラスの先端からその原稿分（記録紙すなわち見開きのサイズの半分）だけオフセットさせて置く必要があるなど、非常に面倒な作業を強いられ、見開き原稿の表裏を守ったコピーを簡単に作成することはできない。
【０００７】
たとえば両面印刷時の、原稿のセット位置および方向と複写結果の位置および方向との関係は、装置の仕組みに依存し、その置き方次第では、表と裏の天地が逆になったり（以下表裏の天地逆という）、印刷位置がずれ（以下位置ズレという）たりする。原稿の見開きのサイズが記録紙のサイズと同じときには、これらに対して比較的対処し易いが、異なるときにはオフセットさせて置くべき位置を特定することが難しく、表裏の天地逆や位置ズレの問題が生じ易くなり、この結果、小冊子などの原稿ページ順と中綴じ製本のページ順とが一致していたとしても、その小冊子と同じ構成を持つコピーを作成することができなくなる。
【０００８】
たとえば最近では、コンビニエンスストア（以下コンビニという）に置かれている複写装置で、ＣＤ（コンパクトディスク）の歌詞カードをコピーしているのをよく見かける。一般的には、歌詞カード（原稿の一例）の見開きのサイズは記録紙のサイズと異なるので、歌詞カードを閉じている部分を外さずに、その歌詞カードと同じ構成のコピーを作成することは、簡単ではない。
【０００９】
本発明は、上記事情に鑑みてなされたものであり、冊子や週刊誌などの綴じている部分を外さずに、中綴じ可能な冊子を簡単あるいは確実に作成することができる複写装置を提供することを目的とする。
【００１０】
【課題を解決するための手段】
すなわち、本発明に係る複写装置は、原稿載置台に載置された原稿の画像を読み取って所定の転写用紙に複写する複写装置であって、見開き原稿の各ページの画像を、見開き原稿の綴じている部分を外さずに読み取る画像読取部と、画像読取部が読み取る各ページの画像を、転写用紙の形態に基づいて、転写用紙上の転写結果が中綴じ可能な冊子となるように、転写用紙の表面または裏面の左右の何れか一方に配置するページ順序を決定するページ配置制御部と、ページ配置制御部により決定されたページ順序に従って、画像読取部が読み取った各ページの画像を転写用紙に複写する画像出力部とを備えた。
【００１１】
また従属項に記載された発明は、本発明に係る複写装置のさらなる有利な具体例を規定する。
【００１２】
【作用】
上記構成の複写装置において、ページ配置制御部は、画像読取部が読み取る各ページの画像を、たとえば原稿載置台における原稿のセット位置や向きなどの原稿載置台に載置された原稿の状態と、たとえば印刷用紙のサイズやセット向きなどの転写用紙の形態とに基づいて、転写用紙上の転写結果が中綴じ可能な冊子となるように、転写用紙に配置するべきページ順序を決定する。
【００１３】
【発明の実施の形態】
以下、図面を参照して本発明の実施の形態について詳細に説明する。
【００１４】
図１は、本発明に係る画像読取装置の一実施形態である画像取得部を搭載したカラー複写装置の一例の機構図である。カラー複写装置１は、冊子や書籍などの原稿画像を見開き状態で読み取り電気信号に変換する画像取得部（ＩＩＴ；Image Input Terminal）１０、読み取った原稿画像のページ再配置などを制御してハードディスク（ＨＤ）などの記憶媒体に蓄積する画像処理部（ＩＰＳ；Image Processing System）２０、電気信号を光信号に変換して静電潜像によるゼログラフィを用いて画像を形成する画像出力部（ＩＯＴ；Image Output Terminal）３０を備える。
【００１５】
またカラー複写装置１は、両面印刷をするために表面に画像が印刷された印刷用紙Ｐの向きを反転させる反転機構部５０、中綴じコピー機能の選択および種々の読み取り／プリント指定などユーザが行なうためのユーザインタフェース部（ＵＩ；User Interface）６０、プラテンカバー１１６、および中綴じの冊子を形成可能なように読み取った画像のページ順を電子的に並び替える（再配置する）ページ配置制御部の一例である電子ソート部（ＥＰＣ；Electronic Page Control） ２００を備える。
【００１６】
画像処理部２０は、画像取得部１０と画像出力部３０との境界部分に配された基板上に設けられている。なお、出力画像データを他の装置へ転送するための外部出力部（ＥＳＳ；Electronic Subsystem）が設けられていてもよい。
【００１７】
画像取得部１０は、筐体１１２と、この筐体１１２上に設けられた透明ガラスからなる略Ａ３サイズ大のプラテンガラス（原稿載置台）１１とを備える。プラテンガラス１１の下面における数カ所には原稿Ｇのサイズを検出する原稿センサ１１８が設けられている。原稿センサ１１８は、原稿Ｇのサイズに対応する位置において、原稿Ｇの先端をたとえば光学的に検出してサイズ検知信号を得、このサイズ検知信号を画像処理部２０に送る。
【００１８】
図では４つの原稿センサ１１８が配されて原稿サイズ検知部が構成されているが、このうちのＡ３端側の２つは、図示しないサイドレジガイドＳＲＧに沿って（すなわち副走査方向の異なる位置に）配されている。これらの原稿センサ１１８を用いて、サイズ検知のためのスキャンを行ない、原稿サイズを自動的に特定する。
【００１９】
そして主に、このうちの一方（リードレジガイドＬＲＧ側）はＢ５横置きを、他方はＡ４横置きを検知するために機能する。またリードレジガイドＬＲＧ側の２つは、図面奥行き方向および副走査方向の両者がそれぞれ異なる位置に配されている。そして主に、このうちの一方（リードレジガイドＬＲＧ側）はＢ５縦置きを、他方はＡ４縦置きを検知するために機能する。また、原稿センサ１１８の検知結果を組合せて判断することで、Ｂ４横置きあるいはＡ３横置きが検知可能になっている。なお、後述する給紙トレイ５２として、Ａ５サイズが設定されているときには、前述の原稿センサ１１８の一部の検出機能が異なるようになる（説明は割愛する）。なおこのような自動検知に限らず、たとえばユーザがユーザインターフェースからサイズを指定することで原稿サイズを特定するようにしてもよい。
【００２０】
また画像取得部１０は、筐体１１２内に、プラテンガラス１１の原稿載置面と反対側の面（裏面）に向かって光を照射する光源１２と、光源１２から発せられた光をプラテンガラス１１側に反射させる略凹状の反射笠１３１および反射鏡１３２と、プラテンガラス１１側からの反射光をプラテンガラス１１に略平行の方向に偏向する反射ミラー１３４ａを有するフルレートキャリッジ（Ｆ／Ｒ−ＣＲＧ）１３４とを備える。光源１２としては、主走査方向（図における紙面直交方向）を長手方向とする蛍光ランプが使用されている。
【００２１】
また画像取得部１０は筐体１１２内に、略直角を形成するように配された２つの反射ミラー１３６ａ，１３６ｂを有し、フルレートキャリッジ１３４によって偏向された反射光を順次略９０°づつ偏向するハーフレートキャリッジ（Ｈ／Ｒ−ＣＲＧ）１３８を備える。フルレートキャリッジ１３４およびハーフレートキャリッジ１３８は、図示しないステッピングモータにより、連動して、副走査方向（図１中矢印Ｘ方向）およびこれと反対方向に往復移動可能に構成されている。
【００２２】
さらに画像取得部１０は、筐体１１２内に、反射ミラー１３６ｂにより偏向された反射光を収束するレンズ１４０と、レンズ１４０で収束された反射光を受光して副走査方向と略直交する主走査方向（図１の紙面奥行き方向）に画像を読み取り濃度に応じた画像信号を順次出力する受光部１３とを備える。この受光部１３は、図示しないラインセンサ１４２を駆動するＣＣＤドライバなどの駆動回路や読取信号処理部１４などとともに基板上に配設される。
【００２３】
また画像取得部１０は、画像拡大処理をすることもできるようになっている。あるいは、画像取得部１０では画像の倍率を変更せずに画像処理部２０にて画像拡縮処理をしてもよい。さらに画像取得部１０および画像処理部２０の両者にて画像拡縮処理をしてもよい。たとえば縮小処理は画像取得部１０にて、拡大処理は画像処理部２０にて、というように組み合わせてもよい。
【００２４】
また図示していないが、画像取得部１０は、筐体１１２内に、読取光学系や受光部１３などをプラテンガラス１１下で移動させるためのワイヤや駆動プーリなども具備する。駆動プーリは、駆動モータの駆動力によって往復回転させられ、該回転駆動によってワイヤを当該駆動プーリに巻き取ることで、プラテンガラス１１の下方において読取光学系などを所定速度で移動させる。なお読取光学系は縮小光学系をなしており、その縮小率を変えることで読取倍率が変更可能になっている。
【００２５】
上記構成において、画像取得部１０は、通常ホームポジション（図中△マークで示す固定読取画先位置Ｇの近傍）にある。読取時には、人手により原稿載置台としてのプラテンガラス１１上に原稿Ｇを載置し、当該プラテンガラス１１上の任意の位置に固定（停止ロック）させた状態で、固定読取画先位置Ｇを先端基準として、読取光学系を矢印Ｘの方向へ等速移動走査して原稿を露光し画像を読み取る。
【００２６】
たとえば、プラテンガラス１１上に載置された原稿Ｇをプラテンカバー１１６で覆った状態で、光源１２からの光がプラテンガラス１１上に載置された原稿Ｇを照射し、反射光がフルレートキャリッジ１３４、ハーフレートキャリッジ１３８、およびレンズ１４０からなる読取光学系を介して赤、緑、青の各色に分光される。そして各色光が、それぞれ対応する、各色光用に分けられたラインセンサ１４２に入射し、入力画像が所定の解像度で読み取られることで、赤、緑、青の各色成分のアナログの撮像画像信号が得られる。
【００２７】
そして、この読取りにより得た撮像画像信号を赤（Ｒ）、緑（Ｇ）、青（Ｂ）の各色成分のデジタル画像データに変換し、赤、緑、青のデジタル画像データを画像処理部２０に送る。この読取り時には、光源１２からの光が原稿を全面に亘って照射し、受光部１３がレンズ１４０などの読取光学系を介して入力画像を全面に亘って読み取るように、光源１２を含む読取光学系や受光部１３などは、矢印Ｘで示すように図１中の副走査方向に相対移動させられる。
【００２８】
読み取られた原稿画像は、フルレートキャリッジ１３４やハーフレートキャリッジ１３８により光路を変え、レンズ１４０により縮小され受光部１３に至る。そして読取信号処理部１４による処理を受けた後に画像処理部２０に送られる。
【００２９】
画像処理部２０は、画像取得部１０から受け取った画像データを処理し、実際に画像出力部３０において画像を印刷用紙Ｐに転写する（画像を形成する）際に用いるイメージ形式などの画像形成データに変換する。本例においては、赤、緑、青の画像データＲ，Ｇ，Ｂに基づいて、ブラック（Ｋ）、イエロー（Ｙ）、マゼンタ（Ｍ）、シアン（Ｃ）の画像形成データを得、この各画像形成データを電子ソート部２００に出力する。
【００３０】
電子ソート部２００は、画像処理部２０から入力されたＫ，Ｙ，Ｍ，Ｃの画像形成データを記憶する記憶媒体２０２を備えている。そして電子ソート部２００は、この画像形成データを記憶媒体２０２から読み出して、特に中綴じの冊子を作成できるように、複数ページ分の画像を印刷用紙Ｐの両面に各２ページずつ形成させる機能を有している。
【００３１】
この機能により画像を形成する際には、後述するように、縦方向か横方向かを示す原稿画像の方向や、縦書きか横書きかを示す画像の内容、小冊子の綴じ方向などに基づいて、印刷用紙Ｐに形成する画像のページ順序を決定する。このとき、印刷用紙Ｐの方向など、他の要素を勘案して決定してもよい。電子ソート部２００は、ページ再配置後のＫ，Ｙ，Ｍ，Ｃの画像形成データを画像出力部３０に出力する。画像の電子ソートおよびそれらを制御する仕組みの詳細については後述する。
【００３２】
本実施形態の画像出力部３０は、一方向に順次一定間隔をおいて並置されたＫ，Ｙ，Ｍ，Ｃの各色の画像形成部（転写部）３１（それぞれにＫ，Ｙ，Ｍ，Ｃを付す；その他の部材についても同様；纏めていうときには色を省略して示す）を有する。画像形成部３１の中央部には、感光体ドラム３２が配され、この感光体ドラム３２の周囲には、一次帯電器３３、現像器３４、および転写帯電器３５などが配設され、さらに画像形成データに基づいて潜像を感光体ドラム３２に記録するためのポリゴンミラー３９などの書込走査光学系を有する。
【００３３】
また画像出力部３０は、画像形成部３１に印刷用紙Ｐを搬送するための手差し用の原稿カセット４１と搬送路４２とを備えている。また先端検出器４４が、原稿カセット４１から各画像形成部３１に搬送される印刷用紙Ｐの搬送路４２上に近接して設けられている。先端検出器４４は、レジストローラ４２ａを通じて転写ベルト４３上に送り出された印刷用紙Ｐの先端をたとえば光学的に検出して先端検出信号を得、この先端検出信号を電子ソート部２００に送る。電子ソート部２００は、入力された先端検出信号に同期して、ページ再配置後のＫ，Ｙ，Ｍ，Ｃの各色の画像形成データを順次一定間隔をおいて画像出力部３０に入力する。
【００３４】
画像出力部３０の下部には反転機構部５０が配設されている。この反転機構部５０は、内蔵型の給紙トレイ５２、両面複写のための用紙反転機構５４、および両面複写路５６を備えている。給紙トレイ５２としては、複数段が配される構造とする。各給紙トレイ５２は、記録媒体としての印刷用紙Ｐのサイズを検知するための印刷用紙サイズ検知部５８を有する。印刷用紙サイズ検知部５８は、印刷用紙Ｐのサイズに対応する位置で、印刷用紙Ｐの先端をたとえば光学的に検出してサイズ検知信号を得、このサイズ検知信号を電子ソート部２００に送る。
【００３５】
画像出力部３０には、電子ソート部２００から、印刷用紙Ｐ上の表面／裏面の何れの側に配置すべきかを示す情報が入力される。画像出力部３０は、裏面側に配置すべき情報を得たときには、印刷用紙Ｐを機外へ排出せずに、印刷用紙Ｐを反転機構部５０側に送る。
【００３６】
このような構成の画像出力部３０および反転機構部５０においては先ず、半導体レーザ３８Ｋは、画像処理部２０からのブラックの画像形成データによって駆動されることで、ブラックの画像形成データを光信号に変換し、この変換されたレーザ光をポリゴンミラー３９に向けて照射する。このレーザ光は、さらに反射ミラー４７Ｋ，４８Ｋ，４９Ｋを介して一次帯電器３３Ｋによって帯電された感光体ドラム３２Ｋ上を走査することで、感光体ドラム３２Ｋ上に静電潜像を形成する。この静電潜像は、ブラックのトナーが供給される現像器３４Ｋによってトナー像とされ、トナー像は、転写ベルト４３上の原稿が感光体ドラム３２Ｋを通過する間に転写帯電器３５Ｋによって原稿上に転写される。そして転写後は、クリーナ３６Ｋによって感光体ドラム３２Ｋ上から余分なトナーが除去される。
【００３７】
同様に、半導体レーザ３８Ｙ，３８Ｍ，３８Ｃは、画像処理部２０からブラックの画像形成データに対して順次一定間隔をおいて得られる対応するＹ，Ｍ，Ｃの各色の画像形成データによって駆動されることで、各色の画像形成データを光信号に変換し、この変換されたレーザ光をポリゴンミラー３９に向けて照射する。このレーザ光は、さらに反射ミラー４７Ｙ〜４９Ｙ，４７Ｍ〜４９Ｍ，４７Ｃ〜４９Ｃを介して一次帯電器３３Ｙ，３３Ｍ，３３Ｃによって帯電された感光体ドラム３２Ｋ上を走査することで、感光体ドラム３２Ｙ，３２Ｍ，３２Ｃ上に静電潜像を順次形成する。各静電潜像は、各色のトナーが供給される現像器３４Ｙ，３４Ｍ，３４Ｃによって順次トナー像とされ、各トナー像は、転写ベルト４３上の原稿が対応する感光体ドラム３２Ｙ，３２Ｍ，３２Ｃを通過する間に対応する転写帯電器３５Ｙ，３５Ｍ，３５Ｃによって原稿上に順次転写される。
【００３８】
このようにＫ，Ｙ，Ｍ，Ｃの各色のトナー像が順次多重転写された原稿は、転写ベルト４３上から剥離され、定着ローラ４５によってトナーが定着されて、その後排出ローラ４５によって複写機の外部に排出される。
【００３９】
また、このカラー複写装置１により、冊子や書籍のような見開き原稿Ｇを表と裏の表紙も含めて印刷用紙（転写紙）の表裏の両面に頁順に複写する場合には、先ずユーザは、ユーザインタフェース部６０を介して“中綴じモード”を選択し、原稿Ｇの複写しようとする見開き面を下向きにしてプラテンガラス１１上に載せ、原稿Ｇをセット基準に揃えてセットして複写動作をスタートさせる。このとき、必要に応じて、出力サイズを選択してもよい。
【００４０】
中綴じモードが設定されているときには、上述のようにして定着ローラ４５で画像が表面に定着された印刷用紙Ｐは、機外に排出されることなく、用紙反転機構５４に導かれ印刷用紙Ｐを反転させた後、両面複写路５６に送り出される。この用紙反転機構５４および両面複写路５６は、両面複写を取るためのユニットであり定着ローラ４５から印刷用紙Ｐが排紙されるとき、図示しない爪により印刷用紙Ｐが用紙反転機構５４のローラ５４ａを通して下方へ落ち、その後、ローラ５４ｂが印刷用紙Ｐを押し上げ、右にある両面複写路５６上に導くことで印刷用紙Ｐを反転させる。その後、搬送路４２を経て裏面が感光体ドラム３２側を向くようにして画像形成部３１に送られ、感光体ドラム３２に形成された裏面用のトナー像が印刷用紙Ｐの裏面に転写される。
【００４１】
なお、画像出力部３０は、１個のレーザ光スキャナによって１個の感光体ドラム上にＫ，Ｙ，Ｍ，Ｃの各色の静電潜像が順次形成され、静電潜像が感光体ドラムの周囲に設けられた、それぞれＫ，Ｙ，Ｍ，Ｃの各色のトナーが供給される現像器によって順次トナー像とされ、トナー像が転写ドラム上に吸着された原稿上に順次、多重転写される構成でもよい。
【００４２】
また、図示していないが、カラー複写装置１は、複写された印刷用紙Ｐを所定の位置にて２つに折り曲げる後処理装置を持ってもよい。あるいは２つに折り曲げられた後の綴じ代部に沿って、その綴じ代の任意の位置にステープラで止めることができる後処理装置を持ってもよい。さらに、１枚の印刷用紙Ｐ上に２ページ分よりも多い画像を多面複写する場合には、その多面複写に応じた所定のサイズに裁断できる後処理装置を持ってもよい。
【００４３】
図２は、原稿Ｇをプラテンガラス１１上に載置する場合の置き方の一例を示す図である。図示した例は、“固定位置読取モード”が設定されたときの原稿Ｇを載置すべき位置を示している。本実施形態の“固定位置読取モード”においては、リードレジガイドＬＲＧとサイドレジガイドＳＲＧとが交差（直交）する位置すなわちプラテンガラス１１の左奥側コーナーを、原稿Ｇのセット基準位置とする。すなわち、リードレジガイドの端部に原稿Ｇの一端縁を、サイドレジガイドの端部に前記一端縁と直交する端縁をそれぞれ突き当てた状態で、プラテンガラス１１の所用領域（略原稿の片面サイズまたは見開きサイズ）に亘って走査し、原稿Ｇの画像を読み込むことを前提とする。
【００４４】
前記所用領域は、センサにより自動判別してもよいし、ユーザからの指定を受け付けてもよい。たとえば、表紙面を片サイズで読み取る場合には図２（Ａ）、裏表紙面を片サイズで読み取る場合には図２（Ｂ）、および見開き面を読み取る場合には図２（Ｃ）のようにして原稿Ｇをプラテンガラス１１上に置く。図２（Ｄ）に示すように、リードレジガイドＬＲＧ側の読取領域幅ＧＡと、この読取領域幅ＧＡよりもさらに横の読取領域幅ＧＢとの両方が、見開き状態の全読取領域となり、この全読取領域が印刷用紙Ｐのサイズと等しい。なお図２（Ｄ）に示すように、冊子を読み取るときには、見開きサイズが全読取領域と異なることが多い。また、リードレジガイドＬＲＧ側およびそれとは反対側の端縁並びに綴じ代部分には影が生じ易い。
【００４５】
なお、本実施形態のカラー複写装置１においては、“固定位置読取モード”に限らず、“任意位置読取モード”が設定されてもよく、この場合、プラテンガラス１１上の何れの位置に原稿Ｇが載置されてもよい。またこの場合、カラー複写装置１は、プラテンガラス１１の略全面に亘って走査し、読込み画像の中から原稿Ｇの画像を特定する。
【００４６】
図３は、中綴じされた原稿Ｇを読み取って、その原稿Ｇの見開きサイズと略同一サイズの印刷用紙Ｐの両面に所定の頁順で複写することで、元の中綴じされた製本ＧＧを作成する場合における、印刷用紙Ｐと原稿Ｇの頁番号との関係を示した図である。ここで一般的に多く利用されるのは、縦方向（閉じた状態）での原稿Ｇに横書きで記述されている場合には図３（Ａ）に示すように左綴じが、縦方向の原稿に縦書きで記述されている場合には図３（Ｂ）に示すように右綴じが利用される。また、原稿Ｇの向きが横方向の場合には、図３（Ｃ）に示すように上綴じが利用される。ここで、左（右／上）綴じといっているのは、１頁目が上になるように原稿Ｇを見たとき、綴じ代が左（右／上）となることを意味する。なお、頁を捲る方向からの表現として、左から昇順にページ配置する左綴じは左開き、右から昇順にページ配置する右綴じは右開き、上綴じは上開きともいう。
【００４７】
ここで、何れの綴じ方であっても、見開き状態の頁順序と印刷用紙Ｐ上の該当頁の画像の配列順序とはバラバラになる。たとえば図示するように、８頁の見開き原稿の場合、左綴じのときには、２頁目が左側に、３頁目が右側に現われるのに対して、２頁目の画像ｂは１枚目の印刷用紙Ｐの表面左側に、３頁目の画像ｃは２枚目の印刷用紙Ｐの裏面左側に、それぞれ印刷されている。また、右綴じのときには、２頁目が右側に、３頁目が左側に現われるのに対して、２頁目の画像ｂは１枚目の印刷用紙Ｐの表面右側に、３頁目の画像ｃは２枚目の印刷用紙Ｐの裏面右側に、それぞれ印刷されている。一方、各印刷用紙Ｐの表面あるいは裏面のそれぞれにおいて対になる画像の頁番号は、たとえば“１と８”や“４と５”などのように綴じ方向に関わらず同じである。さらに、各印刷用紙Ｐの表裏で対になる画像の頁番号は、たとえば“１と２”や“３と４”などのように綴じ方向に関わらず同じである。
【００４８】
図４は、固定位置読取モード時の、原稿Ｇの載置の向きと、印刷用紙Ｐに複写された原稿画像の向きおよび位置の関係を示す図である。ここで図４（Ａ）は、印刷用紙Ｐに複写される画像範囲と位置との関係を示している。図示するように、プラテンガラス１１の左奥のセット基準位置に合わせると、印刷用紙Ｐの右上隅に複写される。図４（Ｂ）は、両面複写時の原稿Ｇおよび印刷用紙Ｐの向きと印刷結果との関係を示している。図示するように、原稿Ｇのセットの仕方と、印刷用紙Ｐのセットの仕方に応じて、両面複写の結果が異なる。たとえば、縦長原稿を縦置きに、あるいは横長原稿を横置きにセットすると表と裏の天地が同じになるのに対して、縦長原稿を横置きに、あるいは横長原稿を縦置きにセットすると表と裏の天地が逆になる。また、見開き原稿Ｇを単純に頁を捲って両面複写すると、たとえば、２，３頁目が印刷された表面の裏に、４，５頁目が印刷されてしまい、図３に示した印刷用紙上の画像配列と異なる結果になる。
【００４９】
図４（Ｃ）は、原稿Ｇの見開きサイズが印刷用紙Ｐのサイズよりも小さい場合における両面複写の結果を示す図である。原稿Ｇの片面サイズが印刷用紙Ｐの略半分でないときに、常にセット基準位置に合わせて両面複写すると、図４（Ｃ）上段に示すように、表面の画像と裏面の画像との各中心がずれて印刷される。このため、印刷用紙Ｐのサイズのまま２つ折りしたのでは冊子にすることはできないし、またＢ４サイズで切り取り、２つ折りしても冊子にすることはできない。
【００５０】
したがって、見開き原稿Ｇを両面複写するときには、原稿画像の向きや位置と印刷位置との関係が元原稿と同じになるように、原稿Ｇと印刷用紙Ｐの各サイズをも考慮して各頁の画像を配置しなければ、元の見開き原稿を再現することができない。たとえば、図４（Ｃ）下段に示すように、表面の画像と裏面の画像との各中心が合うように何れか一方（図では裏面）の画像をずらしてレイアウトする（位置補正をする）ことで、Ｂ４サイズで切り取り、２つ折りして冊子にすることができるようになる。
【００５１】
図５は、ユーザインタフェース部６０の一例、および確認画像の一例などを示す図である。図５（Ａ）に示すように、ユーザインタフェース部６０は、カラー複写装置１の状態をユーザに知らせたり、ユーザによる各種の設定などを受け付けるために、キー入力部６０２と表示部６９０とを備える。キー入力部６０２としては、複写枚数などの置数や複写倍率などを入力するテンキー６１０、置数などを予め設定された標準値に戻すクリアキー６２０、カラー複写装置１内部に設定された設定値を予め設定された標準値に戻すリセットキー６２２、複写動作を開始させるスタートキー６３０、および複写動作を中止させるストップキー６３２が設けられている。
【００５２】
またキー入力部６０２としては、複写モードとして、通常モード、両面モード、および中綴じモードの何れか１つを選択設定するモード設定キー６４２、原稿Ｇの載置の向き（縦置き／横置き）、一葉形式か見開き形式か、あるいは見開き形式の場合はその綴じ方向などを設定する原稿形式設定キー６４４、すべての原稿Ｇの読込みが完了したとき、その旨を装置１に入力する読込み完了キー６４６、および読み込まれた画像についての切出し範囲や確認用の専用表示（拡大画像）の切出し位置などを変更するための変更モードに移行させる変更キー６４８が設けられている。なおモード設定キー６４２により設定されたモードが通常／両面／中綴じの何れであるか表示する表示ＬＥＤ６５０が設けられている。
【００５３】
またキー入力部６０２としては、変更キー６４８により変更モードに移行されたとき、読み込まれた画像についての切出し範囲や位置などを変更するための上シフトキー６６２、下シフトキー６６３、左シフトキー６６４、右シフトキー６６５、および確定キー６６６からなる変更設定キー群６６０が設けられている。キー入力部６０２の、前記各キーから指示された情報は、電子ソート部２００に通知される。
【００５４】
表示部６９０は、液晶タッチパネルにより構成されており、たとえば用紙選択、倍率設定、両面／片面選択、ジョブメモリ設定などの指定ができる基本画面と、読取解像度、原稿の種類（一葉原稿／見開き原稿）、読取濃度、見開き原稿の場合の切出し範囲などの指定ができる機能設定画面、あるいは見開き原稿を中綴じ可能なように両面複写する中綴じモードが設定されたときには読取り後の確認画面などが表示されるようになっている。これらの表示態様は、キー入力部６０２による設定に応じて自動的に切り替わるようになっている。
【００５５】
たとえば図５（Ｂ）に示すように、Ｂ４サイズより少し小さい、右綴じの見開き原稿が読み取られると、図５（Ｃ）に示すように、読取画像と切取り範囲などを示す種々の線分などが示された確認画像が表示部６９０に表示される。この確認画像が表示されたときに変更キー６４８が押下されると、カラー複写装置１は変更モードに移行し、上下左右の切出し位置、分割中心位置ＣＬ、中消し範囲ＧＣ１、あるいは拡大画像の切出し位置ＧＡ，ＧＢなどの変更対象を指定するための表示を、表示部６９０の読取画像に重ねて表示する。ユーザは希望する変更対象を液晶タッチパネルで指定する。すると、指定された変更対象に対応する部分の線などが強調表示される。ユーザは、上下左右の各シフトキー６６２〜６６５により、位置指定を変更し確定キー６６６を押下してその変更を確定させる。
【００５６】
なお図５（Ｄ）に示すように、たとえば見開きの両ページに亘る画像の場合、綴じ代部分の全体を中消しすると綴じ代部の画像までもが消されてしまうので、好ましくない場合も生じる。このような画像の場合、中消し範囲については、分割中心ＣＬを挟む範囲ＧＣ１に加えて、上下の各画像端縁からの範囲ＧＣ２，ＧＣ３を指定することで、ページを跨ぐ画像部分は中消しせず、それ以外の画像端縁近傍のみを中消しするように設定することもできる。
【００５７】
拡大画像部分は、たとえば、ページ再配列後の画像配置の確認のために利用される。この拡大画像部分は、たとえば読取画像中のページの部分を拡大したものが好ましい。ユーザは、拡大表示する領域を、原稿Ｇ上のページ部分（−＠−）に合わせるとよい。前書き部や目次などページが印刷されていない場合には、確認時に都合のよい適当な部分を指定するとよい。
【００５８】
この拡大表示する領域の指定は、読み込みの都度行なってもよい。また、一旦指定された位置を記憶しておき、他のページの読み取り時には自動的に対応する部分を拡大表示し、必要に応じて位置変更を受け付けるようにしてもよい。そして、必要に応じてユーザからの変更指示を受け付け、最終的に確定された位置情報などを画像ソート部２４０に通知する。また、たとえば公知の文字認識の方法を利用して画像から読み取ったページ番号を拡大表示するようにしてもよい。
【００５９】
図６は、ユーザインタフェース部６０および電子ソート部２００の機能構成の第１実施形態を示すブロック図である。ユーザインタフェース部６０には、図５に示したように、キー入力部６０２および表示部６９０の他に、ユーザに対して、次の操作や読み込む順序を案内する、案内部の一例であるナビゲート部６８０を備える。ナビゲート部６８０は、案内メッセージを表示部６９０により可視情報として表示したり、あるいはスピーカ６９２にて音声情報として出力したりする。
【００６０】
電子ソート部２００は、記憶媒体２０２に加えて、画像処理部２０から入力された画像形成データに基づいて、画像の内容、たとえば縦書きか横書きかを、周知の各種の認識方法を利用して認識する画像認識部２１０、原稿Ｇが見開きサイズで読み取られたとき（左右のページが纏めて読み込まれたとき）、その読み取られた画像を周知の各種の分割方法を利用してページ単位の画像に分割する画像分割部２２０、および各ページの画像を記憶媒体２０２に記憶させたり、所望のページ画像をその記憶媒体２０２から読み出したりする記憶制御部２３０を備える。なお図示していないが、電子ソート部２００は、後述の各種処理を画像に対して施すためのワークメモリを有する。
【００６１】
記憶制御部２３０は、画像処理部２０から入力されたＫ，Ｙ，Ｍ，Ｃの各色の画像形成データを、読取り順で記憶媒体２０２に蓄積させる。この記憶制御部２３０は、読取画像を適宜な圧縮形式で圧縮してから記憶媒体２０２に格納させてもよい。この場合、圧縮処理部や復号化処理部が設けられる。記憶制御部２３０は、記憶媒体２０２の記憶領域を、管理テーブルにより管理する。
【００６２】
画像分割部２２０は、たとえば見開き原稿を左右に分割して別々に複写するいわゆるページ連写の仕組みを利用して、取り込んだ見開き画像を単純に２等分する。あるいは、見開き状態で原稿Ｇを読み取ると、綴じ代部分に影が生じ縦スジ状のノイズが現われる（いわゆる中黒線）。中黒線は見開き画像の略中心を示すので、画像分割部２２０は、この中黒線を境界として画像を分割してもよい。また、図５に示すように、読み取った見開き画像を表示部６９０に表示させて、図に示した分割中心ＣＬの位置の変更をユーザから受け付け、この指示された分割中心ＣＬを境界として分割するようにしてもよい。この変更指定は、各見開きページを読み込んだ都度であってもよいし、全てのページを読み込んだ後に纏めて処理してもよい。あるいはページ画像の並替えが必要な直前に分割してもよい。
【００６３】
また電子ソート部２００は、中綴じモード時に１枚の印刷用紙Ｐに形成するべき２つのページ画像および配置位置や向きを決定する画像ソート部（並替処理部）２４０、および画像ソート部２４０により決定された２つのページ画像を記憶制御部２３０を介して読み出し、画像ソート部２４０により決定された配置位置および向きに従って配置することで、中綴じ可能な２ページ分の画像を再構成する画像再構成部２５０を備える。
【００６４】
また電子ソート部２００は、必要に応じてページ画像を回転させる回転処理部２６０と、必要に応じてページ画像を拡大したり縮小したりする変倍処理部２７０を備える。なお回転処理部２６０や変倍処理部２７０は、画像分割部２２０により分割されたページ画像を対象とする代わりに、分割前の見開き画像を対象として回転処理や変倍処理を施すことで、実質的にページ画像に対して回転処理や変倍処理を施すようにしてもよい。この場合、画像分割部２２０は、回転処理や変倍処理が施された見開き画像を分割する。
【００６５】
画像ソート部２４０は、画像認識部２１０で認識した画像の内容に応じて、たとえば横書きのときには左綴じ、縦書きのときには右綴じというように綴じ方向を自動的に判断し、その綴じ方向に応じて、中綴じ冊子を形成可能なように再配列の頁順を決定する。なお画像ソート部２４０は、画像認識部２１０で認識した画像の内容とともに、原稿センサ１１８で検知されたサイズ検知信号に基づいて原稿Ｇの載置の向き（縦置き／横置き）を自動判断したり、あるいはユーザインタフェース部６０のキー入力部６０２でユーザが指定する原稿Ｇの向きや原稿Ｇの綴じ方向、さらには記録媒体サイズ検知部５８からの印刷用紙Ｐのサイズなども考慮して、頁順を決定することもできる。さらに、電子ソート部２００にて決定した頁順をユーザインタフェース部６０を介してユーザに提示し、必要に応じてユーザから頁順の変更を受け付けてから、画像出力部３０における転写動作の開始を指示してもらうようにしてもよい。
【００６６】
印刷用紙Ｐとしては、各ページの大きさ（見開きの略半分）の２倍のものを用いる。そして電子ソート部２００は、中綴じモード、すなわち見開き原稿の両面複写を設定され、かつ印刷用紙Ｐのサイズが原稿Ｇの片サイズの２倍（つまり見開きサイズと略同じ）に指定されて複写開始指令が出されると、原稿Ｇの各ページごとの画像形成データを記憶媒体２０２に書き込み、給紙トレイ５２に指定サイズの印刷用紙Ｐがあれば、記憶媒体２０２に記憶されているページごとの画像形成データのうち、画像ソート部２４０にて決定された特定のページの信号のみを読み出してページ画像の再配列をすることで、見開きサイズ（ただしページの配列順序は読み取られた状態とは異なる）の画像を形成する。
【００６７】
たとえば見開きサイズがＢ５縦方向であれば、Ｂ４横方向の印刷用紙Ｐを用いる。そして画像再構成部２５０は、たとえば原稿が４ページの左綴じの小冊子であれば、１枚の印刷用紙Ｐの片面（本実施形態では裏面）に１ページ（表紙）目と４ページ（裏表紙）目を複写し、前記片面とは反対側の面（本実施形態では表面）における１ページ目の裏に２ページ目、４ページ目の裏に３ページ目が複写されるように、ページ画像を再配列する。このようにして両面に対応するページの画像が複写された印刷用紙Ｐを、２ページ目と３ページ目の中央で内側に折り曲げる（谷折りにする）ことによって、４ページの左綴じ小冊子ができあがる。
【００６８】
同様にして２枚の印刷用紙Ｐの両面に、図３に示したようなページ順で２ページずつ印刷し、重ねて中央で折り曲げることによって８ページの左綴じの小冊子ができあがる。このように、それぞれの複写された印刷用紙Ｐの積層体を、堆積した状態でそのまま中央で半分に折り、綴じ代部分を外側からステープラなどで綴じると左綴じの小冊子ができあがる。また、綴じ代部分を外側から綴じるだけでなく、折り目に沿ってステープラなどを打ち付けることで中綴じにすることができる。
【００６９】
なお自動用紙選択（ＡＰＳ；Auto Paper Select ）機構を設け、原稿Ｇの見開きサイズと同一のサイズおよび方向の給紙トレイ５２が用意されていない場合、あるいは給紙トレイ５２は用意されているが前記の態様での印刷用紙Ｐが切れていた場合には、セット方向が９０度異なる同一サイズの印刷用紙Ｐを選択するようにしてもよい。この場合たとえば図４（Ｂ）の最下段に示すように、片面がＡ５サイズで見開きがＡ４サイズの原稿Ｇを横置きする一方印刷用紙Ｐが縦長にセットされているときなど、原稿Ｇと印刷用紙Ｐの向きが異なることになるので、画像ソート部２４０はこれに応じて、頁順が揃いかつ表裏の各画像の天地が逆にならないように、ページ画像を時計方向あるいは反時計方向に９０度回転させるよう回転処理部２６０に指示する。
【００７０】
なお回転処理部２６０は、見開き状態で回転させておいてもよいし、画像分割部２２０により分割されたページ画像ごとに回転させてもよい。画像再構成部２５０は、回転処理部２６０により回転されたページ画像を用いて見開きサイズの画像を形成する。
【００７１】
図７は、電子ソート部２００の処理、すなわち、見開き原稿の一例である中綴じ原稿の左右の各ページの画像と、原稿Ｇを読み取って見開きサイズと略同じ大きさの印刷用紙Ｐに元のページ順と同じくかつ中綴じ可能なように両面複写する場合の、各印刷用紙Ｐ上のページ画像の配列順の決定方法を説明する図である。
【００７２】
中綴じ可能に両面複写する場合、基本的には、印刷用紙Ｐの表裏両面で、４ページ分の画像が複写される。したがって、中綴じ原稿Ｇの表紙および裏表紙を含む総ページ数をＮとしたとき、必要な印刷用紙Ｐの枚数ＱはＮ／４となる。
【００７３】
また、図７（Ａ）に示すように、印刷用紙Ｐ上の表面あるいは裏面で対となるページは、原稿Ｇの開きの方向に関わらず、ページ番号ｎとページ番号４Ｑ−（ｎ−１）＝Ｎ−（ｎ−１）となる。たとえば、総ページ数Ｎ＝１２のとき、ｎ＝３ページと対になるのは、１２−（３−１）＝１０ページとなる。
【００７４】
また、先に複写が完了し排出された印刷用紙Ｐの裏面上に、次に複写が完了した印刷用紙Ｐを排出する場合、原稿Ｇの開きの方向に関わらず、前半のページは、奇数ページが表面に、偶数ページが裏面に複写される。後半のページについては、対となる前半のページと同じ面に配されるのはいうまでもない。
【００７５】
一方、表面あるいは裏面のそれぞれについて、各ページの画像を右側に配するのか左側に配するのかは、原稿Ｇの開きの方向によって異なり、左綴じの場合は奇数ページが右側に、偶数ページが左側に複写され、右綴じの場合は奇数ページが左側に、偶数ページが右側に複写される。上綴じの場合は、左綴じを時計回りに９０度回転、または右綴じを反時計回りに９０度回転させた形態となるので、ここでは説明を割愛する。
【００７６】
画像ソート部２４０は、図７に示したルールに従って、中綴じ可能なように、頁順並びに配置位置および向きを決定する。そして画像再構成部２５０は、画像ソート部２４０において決定された頁順並びに配置位置および向きに従って各ページの画像を並べ替え、各印刷用紙Ｐの表裏各面に２ページずつの画像を転写することが可能な、見開きサイズに２頁分の画像が形成された画像形成データを生成し、画像出力部３０に入力する。
【００７７】
たとえば、８ページの左綴じ原稿が読み取られた場合、画像再構成部２５０は、図７（Ｂ）〜図７（Ｅ）のように、各ページの画像を並べ替える。なお、見開き原稿を読み取る場合、各ページ単位で読み取る形態（図７（Ｂ））と、見開きの状態で２ページ分を一度に読み取る形態（図７（Ｃ））とがある。後者の形態では、画像分割部２２０は、読み取られた見開きサイズの画像を、それぞれのページ画像に分割する。なお後者の形態では、左綴じと右綴じとで、読み込みの順序が逆になるので、画像ソート部２４０は、この綴じ方向を考慮して頁順並びに配置位置および向きを決定する。
【００７８】
図８は、両面複写機能を有するカラー複写装置１を使用して、２頁分に亘る図や説明などの画像を有する、中綴じされた略定型サイズの見開き原稿Ｇの複写物を作成する場合についての、一連の処理手順の概要例を示したフローチャートである。ここでは、左綴じかつ中綴じで見開きサイズが略Ｂ４の原稿Ｇを一例に、予め定められたセット基準位置（図２参照）に原稿Ｇを載置することとし、置かれた原稿Ｇの状態（向き）を自動検知して、読み取った画像を、原稿Ｇの表と裏の表紙および見開き頁をともに等倍で、さらに画像の配置位置および向きも元原稿と略同くなるように、両面複写かつ半折で、元の小冊子と同じような中綴じの小冊子を作成することを可能にする場合について説明する。略定型サイズの原稿Ｇとしては、製品カタログなどがある。なお図８に示した処理態様を第１実施形態という。
【００７９】
カラー複写装置１（詳しくは図示しないＣＰＵなどの制御部）は、中綴じモードが設定されているか否かを判断する（Ｓ１００）。中綴じモード以外のモードが設定されているときには、通常モードあるいは両面モードなど、従来の装置と同様の処理をする（Ｓ１００−ＮＯ，Ｓ１０８）。
【００８０】
一方、中綴じモードが設定されているときには（Ｓ１００−ＹＥＳ）、ユーザインタフェース部６０のナビゲート部６８０は、冊子（原稿Ｇ）を開き、表紙および裏表紙の各表紙面を下に見開いた状態でプラテンガラス１１に横置きでセットし、セット基準に合わせてからスタートキー６３０を押して原稿Ｇを読み取るよう指示を出す（Ｓ１０２）。
【００８１】
ユーザがスタートキー６３０を押すと、画像取得部１０は、表紙（１ページ目）側および裏表紙（最終ページ）側の順に見開き原稿を読み取り、画像処理部２０は所定の画像処理をして見開き画像を表す画像形成データを得、この画像形成データを電子ソート部２００に入力する。電子ソート部２００の記憶制御部２３０は、画像形成データを先ず記憶媒体２０２に格納する（Ｓ１０４）。
【００８２】
表紙および裏表紙の読み込みが完了したら、同様にして、ユーザインタフェース部６０のナビゲート部６８０は、冊子の最初のページを開き、見開いた状態でプラテンガラス１１に横置きでセットし、セット基準に合わせてからスタートキー６３０を押すように、表示部６９０による可視情報で、あるいはスピーカ６９２による音声情報で指示を出す、すなわち原稿Ｇの載置位置や向き（天地を含む）あるいは読み込む順序をユーザに案内する（Ｓ１１２）。
【００８３】
そして、表紙の読み込みと同様に、記憶制御部２３０は、この画像形成データを記憶媒体２０２に格納する（Ｓ１１４）。以下順にページを捲って、全てのページの読み込みが終わるまで、ステップＳ１１２〜Ｓ１１６の処理を繰り返す（Ｓ１１６−ＮＯ）。この繰返し処理の際には、カラー複写装置１は、直前に読み取った見開き画像を表示部６９０に表示する。これにより、ユーザは、次に読み取らすべき見開きページを簡単に確認することができる。
【００８４】
また記憶制御部２３０は、読み込んで記憶媒体２０２に記憶させたページ数を管理テーブルに記憶する。この例では、見開き状態で２ページ分を一度に読み込んでいるので、記憶制御部２３０は、前記の読込みの都度、２ページずつ読込みページ数のカウンタ値をインクリメントする。
【００８５】
ユーザは、冊子の終わりのページまでの読み込みを完了させたら、ユーザインタフェース部６０の完了キー６４８を押下する。画像ソート部２４０は、このことを検知すると（Ｓ１１６−ＹＥＳ）、所用の見開き画像を記憶媒体２０２から読み出して表示部６９０に入力し、図５に示したような確認画面を、読み込みの順番に表示させるよう記憶制御部２３０などに指示を出す（Ｓ１２０）。なお、完了キー６４８が押下されたとき、読み込んだ総ページ数が４の倍数となっていないときには、画像ソート部２４０は、読取ミス（重複もしくは欠落）がある旨の警告を発してもよい。
【００８６】
表示部６９０は、先ず表紙および裏表紙の見開き画像を表示する（図５（Ｃ）の“１”および“８”ページの見開き画像）。このとき表示部６９０は、先ずユーザインタフェース部６０に予め設定されている標準値を用いて、切出し範囲や中消し範囲などを示す線分をその見開き画像に重ねて表示する。そして、必要に応じてユーザからの変更指示を受け付ける（Ｓ１２２）。
【００８７】
たとえばユーザは、ページ再配列後の画像確認のために拡大表示する領域を、原稿Ｇ上のページ部分（−＠−）に合わせる。前書き部や目次などページが印刷されていない場合には、確認時に都合のよい適当な部分を指定する。あるいは、冊子の折り目や上下左右の端部に影が生じ黒ずんで複写され得る部分の像が写らないように、中消し範囲ＧＣ１、あるいはＧＣ２，ＧＣ３、上下左右の切出し範囲を指定してもよい。
【００８８】
ユーザインタフェース部６０は、最終的に確定された位置情報などを変更受付部２８０に通知する（Ｓ１２２−ＹＥＳ，Ｓ１２４）。変更受付部２８０は、位置情報などをその見開き画像に対応付けて記憶させる。たとえば、記憶制御部２３０が管理している管理テーブルに、その位置情報を書き加えさせてもよい。
【００８９】
さらに画像ソート部２４０は、ユーザ指定や原稿センサ１１８の検出信号などに基づいて、原稿Ｇの読取サイズや載置方向、あるいは見開き方向、さらには印刷用紙Ｐのサイズや方向など、原稿Ｇや印刷用紙Ｐの状態を判断する（Ｓ１２２）。本例では、原稿センサ１１８の情報に基づいて原稿Ｇが見開き状態で読み込まれたことが検知されるので、画像ソート部２４０は先ず画像分割部２２０に対して、記憶媒体２０２から見開きサイズの前記画像形成データを読み出してユーザから指定された分割位置にて見開き画像をページ単位に分割するよう指示する。画像分割部２２０は、分割した各ページ画像を記憶媒体２０２に記憶させる（Ｓ１３２−ＹＥＳ，Ｓ１３４）。
【００９０】
次いで画像ソート部２４０は、読み込んだページ数や、縦方向か横方向かを示す画像の用紙方向や、縦書きか横書きかを示す画像の内容、あるいは原稿Ｇの綴じ方向などに基づいて、さらに原稿Ｇや印刷用紙Ｐの状態に応じて、図７に示したルールに従って、中綴じ可能なように、１枚の印刷用紙Ｐに形成するべき２つのページ画像の順番を決定するとともに、それぞれのページ画像の配置位置や向きを決定する（ページ画像を電子的にソートする）（Ｓ１３６）。
【００９１】
たとえば表裏両面の画像の位置が一致するように（透かしたときに各画像の中心が一致するように）、表裏両面の画像の少なくとも一方を移動させる。また、原稿Ｇの向きと印刷用紙Ｐの向きが異なるときには、ページ画像を時計または反時計方向に９０度回転させる。たとえば裏面用のページ画像の分割中心ＣＬとは反対側の端縁を印刷用紙Ｐの端縁まで横方向に移動させて、両面のイメージの位置を合わせる（図４（Ｃ）参照）。
【００９２】
これにより、原稿Ｇ（見開きサイズ）と印刷用紙Ｐのサイズが違っていても、表面画像と裏面画像が同じ位置に複写され、たとえばＢ４サイズで切り取り、２つ折りして冊子にすることができる。なお、印刷用紙Ｐの短辺方向（高さ方向）の位置は、見開き画像の対になるページ画像同士の位置が合っている限り、１つの印刷用紙Ｐ上では多少異なっていてもよい。
【００９３】
画像ソート部２４０は、ソート処理が完了したら、再配置後の各印刷用紙Ｐ上に配されるページ画像に基づいて、中綴じの冊子を形成したとき（仕上り時）の見開き画像をシミュレート（疑似生成）し、表示部６９０にて、ユーザに複写イメージ画像（プレビュー画像）を提示する（Ｓ１３８）。この複写イメージ画像は、読取後の確認画像を提示する場合と同様の表示態様であればよい。あるいは、中消し範囲ＧＣ１，ＧＣ２，ＧＣ３や上下左右の切出し位置に基づいて、冊子の折り目や上下左右の端部に影が生じ黒ずんで複写され得る部分を、それらの像が写らないようにした後の画像を提示してもよい。
【００９４】
ユーザは、複写イメージ画像を表示部６９０にて確認することで、仕上り後の冊子（中綴じ）のページ順序を確認することができる。たとえばユーザは、表示部６９０に提示された複写イメージ画像にて、切出し範囲やページ並びのミス（読取り順序の間違い）、あるいは重複や欠落（読取ミス）などを確認する。ユーザインタフェース部６０は、問題が確認されたときには、ユーザからの変更指示を受け付け、変更受付部２８０に通知する（Ｓ１４０−ＮＯ，Ｓ１４２）。変更受付部２８０は、この変更された条件に基づいてページ画像をソートするように画像ソート部２４０に指示する。
【００９５】
たとえば変更受付部２８０は、欠落ページの追加の場合、追加するページ位置などの指定も受け付ける。なお、ユーザは、表示部６９０に表示された複写イメージ画像を確認しながら、ページの配列順序を意図的に変更する、すなわち複写画像の配置を任意の順番に変更することもできる。
【００９６】
またユーザインタフェース部６０は、ページ番号の付加を受け付けてもよい。この場合、漏れている部分だけの追記、あるいは既に付いているページを含む完全置換えなど、種々の変更態様を受け付けるようにするとよい。
【００９７】
ページの追加や削除など、ページの並替えに影響する変更が加わったときには、画像ソート部２４０は、再配置の決定処理をやり直し、複写イメージ画像をユーザに再度提示する。
【００９８】
このようにして、再配置後の画像を確認し、表示されている綴じ方やページ順あるいは配置位置や向きでよい場合には（Ｓ１４０−ＹＥＳ）、ユーザは、完了キー６４８を押下する（Ｓ１４０−ＹＥＳ）。画像再構成部２５０は、これを検知すると、画像ソート部２４０による決定に従って、読み込んだ画像データ（画像形成データ）を並び替え、必要に応じてページ番号などを付加したり、あるいはユーザから指定された中消し範囲ＧＣ１，ＧＣ２，ＧＣ３の部分や上下左右の端部の影の像が写らないように中消しや枠消しの処理をして、中綴じ可能な２ページ分の１枚の見開き画像を再構成する（Ｓ１４４）。
【００９９】
すなわち、画像ソート部２４０にて並び替えられた順番に従って、ページ画像２枚を１枚の画像データに変換し（いわゆる２アップ機能）、変換後の２アップ画像を記憶媒体２０２に記憶する（図７（Ｄ）を参照）。そしてこの再構成が全ページ分について完了したら、カラー複写装置１は、画像の並替えが完了した旨を表示部６９０あるいはスピーカ６９２にてユーザに告知する。
【０１００】
この告知を受けたユーザは、再度変更したいときには、変更キー６４６を押下して、前述の変更を受け付ける処理（ステップＳ１４２）に移行させる（Ｓ１４６−ＮＯ）。一方、特に不都合がなければ、ユーザはスタートキー６３０を押下する。記憶制御部２３０は、このスタートキー６３０の押下を受けると、１枚目の表→１枚目の裏、２枚目の表→…というように総ページ数の１／４枚まで、再構成後の見開き画像を示す各印刷用紙Ｐ用の画像形成データ（２アップ画像）をそれぞれの印刷用紙Ｐおよび表裏に対応するように、順に記憶媒体２０２から読み出して画像出力部３０に入力する。画像出力部３０は、この画像形成データに基づいて転写処理をすることで、印刷用紙Ｐに対して中綴じ可能な両面印刷をする（図７（Ｅ）を参照）（Ｓ１４８）。
【０１０１】
以上第１実施形態の処理により、中綴じモードにおいては、冊子を見開き状態で読み取って複写し、それぞれの複写された印刷用紙Ｐの積層体を、堆積した状態でそのまま中央で半分に谷折りし、折り目に沿って綴じると、元の冊子と同じ中綴じ冊子を作成することができる。すなわち、冊子または本の綴じている部分を外さずに、その冊子や本と同じ構成を持つ複製物を作成することができる。
【０１０２】
また、画像出力部３０における転写処理の際にジャムなどが生じ複写ミスが生じたとしても、既に読み取って再構成した２アップ画像は記憶媒体２０２に格納されているので、改めて読み取らなくても、該当部分を直ぐに複写し直すことができる。
【０１０３】
さらに、読取りにて取得した原稿画像を記憶媒体２０２に保持しているので、１回の読取り操作だけで、たとえば元原稿と同じ綴じ方向の冊子とそれとは異なる冊子とを作成する、あるいはユーザの好みに応じたページ配列順にするなど、ユーザによる編集作業も簡単になる。
【０１０４】
したがって、たとえばコンビニエンスストアに上記カラー複写装置１を設置することで、冊子または本と同じ構成を持つコピーを容易に作成することが可能となり、コンビニエンスストアの売上増につながる。またたとえばＣＤレンタル店での貸出し用歌詞カード作成などに上記カラー複写装置１を使用することもできる。
【０１０５】
なお上記第１実施形態では、見開きの状態で左右の２ページ分を一度に読み取る形態（図７（Ｃ）参照）で説明したが、原稿Ｇがプラテンガラス１１上に見開き状態で載置されているのか片ページごとに載置されているのかに拘わらず、各ページ単位で読み取る形態（図７（Ｂ）参照）としてもよい。この場合、画像取得部１０は、見開き状態で原稿Ｇが載置されているときには、リードレジガイドＬＲＧ側の読取領域ＧＡと、それよりも外側の読取領域ＧＢとを別々の読取領域として原稿Ｇの画像（片ページ分）を読み取る（図２（Ｄ）参照）。
【０１０６】
またセット基準に合わせて片ページごとに載置されている場合には、リードレジガイドＬＲＧ側の読取領域ＧＡのみを読取領域として原稿Ｇの画像を読み取る。なお、原稿Ｇがセット基準からずれて載置されているときには、全読取領域を走査して読み取った後に公知の画像領域を特定する方法を利用して片ページ分の画像領域を切り出すとよい。なお、各ページ単位で読み取る場合、何れの載置態様であっても、画像分割部２２０によるステップＳ１３４の処理は不要である。
【０１０７】
また上記第１実施形態では、最初に表紙および裏表紙を見開きで読み取るようにしていたが、たとえば、最初は図２（Ａ）に示したように一方の表紙のみを片面サイズで読み取り、最後に図２（Ｂ）に示したように裏表紙のみを片面サイズで読み取り、それ以外の内側のページは図２（Ｃ）に示したように頁を捲って見開きで読み取るようにしてもよい。この場合、表紙および裏表紙についてのみが、画像分割部２２０によるステップＳ１３４の処理が不要となる。なお、上記第１実施形態では、全ページ分の見開き画像を読み取ってからページ画像に分割するようにしていたが、ページを捲ってそれぞれの見開き画像を読み取った都度分割するようにしてもよい。
【０１０８】
また上記第１実施形態では、画像ソート部２４０によるソート処理が完了した後、複写イメージ画像を表示部６９０に提示し、ユーザから指示があるまで画像再構成や転写処理の開始を禁止していたが、このようなユーザによる確認を経ずに、ソート処理が完了した後直ちに、再構成をして転写処理を実行してもよい。
【０１０９】
さらに上記第１実施形態では、原稿Ｇと印刷用紙Ｐの向きが異なるときにページ画像を９０度回転させると説明したが、ページ画像を回転させる必要があるのはこのような態様に限らず、原稿Ｇと印刷用紙Ｐの向きが同じ場合であっても起こり得る。たとえば、図４（Ｂ）の中段左側に示したように、印刷用紙Ｐを縦長にセットした状態で表面を複写した後に、その印刷用紙Ｐを短手方向に搬送し裏面用の原稿Ｇを天地がセット基準に合うように載置して読み取ると、天地が逆になって裏面の画像が複写される。
【０１１０】
したがってこのような場合には、裏面の画像を複写する際に、回転処理部２６０は２ページ分の画像を１８０°回転させる。なお、裏面用の原稿Ｇを読み取る際に、原稿Ｇをセット基準に対して天地が逆で載置するようにユーザに指示を出してもよい。こうすることで、画像回転処理が不要になる。
【０１１１】
さらに上記第１実施形態では、元の原稿Ｇの綴じ方向と同じになるようにページ配列順を決定することとしていたが、仕上りの綴じ方向を元の原稿Ｇとは異なるようにしてもよい。この場合、図７（Ａ）に示したように、対となる左右のページ画像の配列位置は、元の綴じ方向を維持したときとは逆になる。ただし、元の原稿Ｇの見開きの左右のページが独立した画像であるときにはこれで問題がないが、図５（Ｄ）に示したように、左右の両面に亘る連結画像の場合には、左右のページ画像が逆に配置され不都合が生じるので、このような連結画像に限って、元の見開き状態の連結画像を維持するように、元の左右のページ画像のソート位置（配置面や配置位置）を逆にする。
【０１１２】
たとえば左綴じの原稿Ｇで右綴じの冊子を作成するとき、画像ソート部２４０は、元の２，３ページについては、通常であれば、元の２ページ目の画像が１枚目の裏面右側に配され元の３ページ目の画像が２枚目の表面左側に配されるようにページ画像をソートするのに対して、２〜３ページに跨る画像のときには、元の２ページ目の画像が２枚目の表面左側に配され元の３ページ目の画像が１枚目の裏面右側に配されるようにページ画像をソートする。またたとえば８ページの原稿の４〜５ページに亘る連結画像のように、元原稿の最内ページについては、配置面を逆にする必要はなく、左右の配置位置のみを逆にすればよい。
【０１１３】
見開き画像が左右のページに跨る画像であるか否かは、画像認識部２１０により、公知の領域特定の方法を利用して特定した左右ページの領域が連結しているか否かに基づいて、自動的に判断すればよい。あるいは、複写イメージ画像をユーザに提示した後に、ユーザから並替えの指示を受け付けてもよい。勿論、最初は元の原稿と同じ綴じ方向での複写イメージ画像をユーザに提示した後に、仕上りの綴じ方向の変更を受け付けるようにしてもよい。
【０１１４】
さらに上記第１実施形態では、それぞれの読取りの都度ページ数をカウントすることで総ページ数を取得し、完了キー６４８が押下されたとき、読み込んだ総ページ数が４の倍数となっていないときに警告を発するようにしていたが、これに限らず、たとえば読取り開始前にユーザから総ページ数の入力を受け付け、完了キー６４８が押下されたとき、読み込んだ総ページ数がユーザから指定された総ページ数と一致していないときに警告を発するようにしてもよい。また、読取り開始前にユーザから総ページ数の入力を受け付けた場合には、それぞれの読取りの都度、たとえば「あと＠ページ」などとメッセージしてもよい。
【０１１５】
また上記第１実施形態では、印刷用紙Ｐが横置きにセットされかつ原稿Ｇの天地がセット基準に対して適合する（天側がセット基準側となる）ようにして読み取ることを基準に説明したが、たとえば原稿Ｇを捲っている過程では、原稿Ｇの天地を逆にしてプラテンガラス１１上にセットする方が都合のよいこともある。たとえば、端部の影が少なくなるようにする場合などである。このような場合、画像認識部２１０は、たとえば文字の天地関係から原稿Ｇの載置状態の天地を判断し、回転処理部２６０は、画像認識部２１０による判断結果が“天地逆”を示していることを条件として、読取画像を１８０度回転させてもよい。その回転対象は、見開き画像およびページ画像ごとの何れでもよい。あるいは画像認識部２１０による自動判断に代えて、“天地逆”で読み取る旨のユーザ指示をユーザインタフェース部６０にて受け付けるようにしてもよい。
【０１１６】
また、連続複写処理をしている過程では、用紙切れが生じることもある。このような場合、セット方向が異なる同一サイズの印刷用紙Ｐが給紙トレイ５２にあれば、その印刷用紙Ｐを選択するとともに、画像再構成部２５０により再構成され記憶媒体２０２に格納されている見開き画像を回転処理部２６０により９０度回転させてから画像出力部３０に送ることで、処理を中断させることもない。
【０１１７】
また上記第１実施形態では、表紙および裏表紙以外は元原稿のページ配列順に読み取ることを基準に説明したが、読み取る順序をユーザに委ねてもよい。この場合、何れのページを読み取るのか（あるいは読み取ったのか）をユーザに指定させる構成とする。あるいは、公知の文字認識の手法を利用して、原稿画像のページ記載部分（図５参照）からページ番号を自動認識してもよい。なお、たとえば前書き、目次、索引、あるいは後書きなどの、ページ記載部分がない項目部分のページ画像については、それぞれの部分ごとにユーザからのページ指定を受け付けるのがよい。勿論、本文も元々ページが付与されていない場合には、ユーザからのページ指定を受け付ける。
【０１１８】
そして全ページの読み込みが完了したら、前書き、目次、本文、索引、あるいは後書きなどの項目ごとの大枠の配列順を決めた後、元画像の全体のページ配列順を改めて決定してから、ソート処理をすればよい。
【０１１９】
なお、途中までは第１実施形態のように元原稿の頁順で読み込み、それ以降最終ページまではユーザに委ねる、あるいはその逆、さらには途中のみユーザに委ねるなど、任意に組み合わせてもよい。
【０１２０】
また上記第１実施形態では、全ページを読み込んでから読込ミス（重複や欠落）に対する変更を受け付けるようにしていたが、読込み途中にミスに気付い時点で変更を受け付けるようにしてもよい。また、同一ページに対する再読込（書換え）を、読込み途中であるいは全ページを読み込んだ後に、受け付けるようにしてもよい。
【０１２１】
また上記第１実施形態では、中綴じ可能に両面複写するための見開き画像（図７（Ｄ）参照）を全印刷用紙Ｐかつ表裏用について画像再構成部２５０により再構成し、この再構成後の見開き画像を記憶媒体２０２に記憶していたが、これに限らずたとえば、印刷用紙Ｐの表面あるいは裏面に転写処理をする都度、先ず画像再構成部２５０により中綴じ可能に両面複写するために必要なページ番号（図７（Ａ）参照）の画像を記憶媒体２０２から読み出して見開き画像（図７（Ｄ）参照）を再構成し、その後直ちにこの再構成後の見開き画像を画像出力部３０に送って転写処理するようにしてもよい。
【０１２２】
図９は、第２実施形態の処理手順の概要例を示すフローチャートである。ユーザインタフェース部６０および電子ソート部２００の機能構成のブロック図は、第１実施形態と同じでよい。この第２実施形態は、中綴じされた定型サイズとは大きく異なるサイズの見開き原稿Ｇを定型サイズの印刷用紙Ｐに複写する場合について説明する。定型サイズとは大きく異なるサイズの原稿Ｇとしては、ＣＤの歌詞カードなどがある。
【０１２３】
中綴じモードが設定されているときには（Ｓ１００−ＹＥＳ）、電子ソート部２００は、先ずレイアウト設定画面を表示部６９０に表示させる（Ｓ２０２）。このレイアウト設定には、印刷用紙Ｐ上に配置するページ画像の位置、印刷用紙Ｐ上に配置するページ画像の数などを含む。たとえば、複写物の使用用途に合わせて、印刷用紙Ｐ上のどの位置にページ画像を配置するのかの指定、縦／横の変倍率の指定、印刷用紙Ｐ上の片面に何ページ分の画像を配置するかやそのときの向きなどを設定可能にする（後述する図１０に示す種々のレイアウトを参照）。
【０１２４】
レイアウト設定が完了したら、カラー複写装置１は、第１実施形態のステップＳ１０２〜Ｓ１１４と同様に、原稿Ｇの載置位置や向き（天地を含む）あるいは読み込む順序をユーザに案内しながら、原稿Ｇを見開き状態で読み取り、読み取った見開き画像を記憶媒体２０２に保持する（Ｓ２０２）。全ページ分を読み込んだら、全てのページ画像について指定されたレイアウト設定と適合するように、第１実施形態のステップＳ１２０〜Ｓ１３８と同様にソートなどの処理する。そしてステップＳ１３８にて複写イメージ画像を表示部６９０に表示させ、レイアウト変更を必要とするかどうかをユーザに問い合わせる（Ｓ２０４）。このレイアウト変更には、切出し範囲やページ並びのミス（読取り順序の間違い）、あるいは重複や欠落（読取ミス）など第１次実施形態のものに加えて、レイアウト設定時と同じように印刷用紙Ｐ上に配置するページ画像の位置、印刷用紙Ｐ上に配置するページ画像の数なども含む。
【０１２５】
ユーザインタフェース部６０は、ユーザからのレイアウト変更の意志を受け付けると、変更受付部２８０に通知する（Ｓ２０４−ＹＥＳ）。この通知を受けた変更受付部２８０は、表示部６９０の表示画面をレイアウト設定画面に切り替えさせ、設定変更の通知を待つ（Ｓ２０６）。
【０１２６】
このときの表示画像としては、読み取られた見開き画像の任意の１枚を選択して利用することができるようにする。変更受付部２８０は、このレイアウト設定画面上にて、切出し範囲やページ並びのミスや読取ミスなど第１次実施形態と同様の変更を受け付けるとともに、印刷用紙Ｐ上のページ画像の配置位置やページ画像数などの変更を受け付ける（Ｓ１４２）。ユーザは、表示部６９０に表示された各見開きの複写イメージ画像を確認し、レイアウトを再確認するとともに、たとえば、全ページについてレイアウトを共通に再設定したり、あるいは特定の見開きページについてのみ倍率を変えたり配置位置を変えるなどの、個別の指定もできる。
【０１２７】
問題ない場合には（Ｓ２０４−ＮＯ）、第１実施形態のステップ１４４〜Ｓ１４８と同様に、画像再構成部２５０により中綴じ可能な所定ページ分の１枚の見開き画像を再構成してから、画像出力部３０にて転写処理する。そしてこれを所定枚数（総ページ数の１／４）まで、表面および裏面への転写処理が完了するまで繰り返す。
【０１２８】
図１０は、第２実施形態の処理手順におけるレイアウト設定の一例を説明する図である。この第２実施形態では、ページ画像を印刷用紙Ｐ上のプリセット位置に配置するように初期設定しておくとともに、ユーザからのレイアウト設定指示を受け付けたときには、ユーザが指定した印刷用紙Ｐの任意の位置に印刷するようにする。
【０１２９】
なお、何れのレイアウト態様においても、所定の位置にて２つ折りすることで冊子が形成可能なように、表面画像と裏面画像が同じ位置に複写されるように、自動的に両面のイメージの位置を合わせる。また、予めレイアウト見本を用意しておき、ユーザインタフェース部６０を介して、レイアウト形式を選択することができるようにしてもよい。
【０１３０】
ここで、設定されたレイアウトとなるようにするには、画像回転や読取画像への情報付加、あるいは画像合成などの各手法が必要になるが、これらの各手法は公知であるので、個々の手法の詳細な説明は割愛する。なお変倍など、一部の手法については、第１実施形態で示した機能要素（変倍時には変倍処理部２７０）がその作用をなすのはいうまでもない。
【０１３１】
たとえば図１０（Ａ１）に示すように、プリセット位置は表面を複写したときプラテンガラス１１の左奥に合わせた部分が印刷用紙Ｐの右上隅に複写されるようにする（図４（Ａ）および第１実施形態と同様）。この場合、たとえばＢ４サイズの幅方向中心と非定型サイズの幅方向中心とは一致しない。そして、このプリセット位置に対して、たとえば図１０（Ａ２）に示すように、Ｂ４サイズの印刷用紙Ｐの幅方向中央に移動させる（以下サイドセンタシフトという）などユーザが任意にサイド位置を選択可能にする。
【０１３２】
図１０（Ａ２）に示すように幅方向中央に配置すると、Ｂ４サイズの幅方向中心と非定型サイズの幅方向中心とが一致する。したがって、印刷用紙Ｐをその幅方向中心で２つに折ることで、仕上りの２つ折りを形成でき、図１０（Ａ３）に示すように、非定型サイズに切り取らなくても、見開きの左右ページが正しく分かれた冊子状態にすることができる。
【０１３３】
また、図１０（Ａ４）に示すように、Ｂ４サイズの印刷用紙Ｐの縦方向について、その中央に移動させる（以下ハイトセンタシフトという）などユーザが任意に高さ位置を選択可能にしてもよい。さらに図１０（Ａ２）および図１０（Ａ４）の両者を組み合わせることで、たとえば図１０（Ａ５）に示すように、幅方向および縦方向の両者をその中央に移動させる（以下センタシフトという）など、見開き画像を印刷用紙Ｐ上の任意の位置に配置させることができる。
【０１３４】
なお、上記図１０（Ａ１）〜図１０（Ａ４）に示した例は、見開きの左右のページを同時に移動させる形態で説明したが、これに限らず、左右のページを独立に移動させる形態とすることもできる。たとえば、先ず見開きの位置を上記図１０（Ａ１）〜図１０（Ａ４）に示したようにして確定させた後、その見開き領域を２分して各ページの画像領域を決定し、その各ページの画像領域の範囲内で、上記図１０（Ａ１）〜図１０（Ａ４）の手法に準じて、左右（縦置きの場合には上下）の各ページの画像の配置位置を決定すればよい。
【０１３５】
これにより、たとえば横置きの印刷用紙Ｐ上の左右にページ画像を配置する際、２つ折り線（印刷用紙Ｐの幅方向中心）を挟んで、左右のページ画像を反対方向外側に配置するようにすれば、２つ折り線を挟んで所定の綴じ代を確保することができる。そしてたとえば綴じ代部が少ない中綴じ原稿を読み取った後、綴じ代部の少し内側を横からステープラで綴じるあるいは糊付けするなど片綴じにした際、その綴じ代による画像欠けが生じないようにすることができる。
【０１３６】
また、図９に示したステップＳ１３８以降の画像確認およびレイアウト変更の際には、読み取った各ページ画像を左右（または上下）の各ページの画像領域に表示させるとよい。これにより、図９に示したステップＳ１０２では全ページ（見開き状態でもよい）に対しての共通の配置位置を指定するとともに、任意の見開きページあるいはその左右のページについては、ステップＳ２０６，Ｓ１４２にて個別に配置位置を設定することができる。
【０１３７】
配置位置設定のためのメニューとしては、図１０（Ａ１）の右上隅を示す“プリセット”、図１０（Ａ２）の“サイドセンタシフト”、図１０（Ａ４）の“ハイトセンタシフト”、図１０（Ａ５）の“センタシフト”、また左右のページ画像を２つ折り線を挟んで反対方向に移動させることで綴じ代を確保する“綴じ代”、の各メニューと、たとえば上下左右の各シフトキー６６２〜６６５および確定キー６６６を利用した“任意設定”のメニューを用意するとよい。
【０１３８】
また図１０（Ｂ）の各図に示すように、非定型サイズが定型サイズに収まるように、変倍処理部２７０により原稿画像を拡大もしくは縮小して、印刷用紙Ｐの所定の位置に配置してもよい。この場合、原稿Ｇの横および縦の何れか一方が印刷用紙Ｐの横や縦と一致するように、それぞれ共通の倍率で拡縮してもよい。
【０１３９】
たとえば図１０（Ｂ１）に示す横長の画像を、図１０（Ｂ２）に示すように横方向が一致するように、縦横ともに同倍率で拡大する。また、図１０（Ｂ３）に示すように、原稿Ｇの幅（横）方向と縦方向の長さ比率（縦横比）が印刷用紙Ｐの縦横比と近いときには、図１０（Ｂ４）に示すように、原稿Ｇの幅（横）と縦がそれぞれ印刷用紙Ｐの横や縦と一致するように、それぞれ独立の倍率で拡縮してもよい。この場合、画像の縦横が多少歪むが、印刷用紙Ｐの略全面（上下左右の端部マージンを除く；後述の図１０（Ｃ１）参照））に亘って複写される。
【０１４０】
なお、図９に示したステップＳ１０２では全ページ（見開き状態でもよい）に対しての共通の倍率を指定するとともに、ステップＳ１３８以降の画像確認およびレイアウト変更の際には、読み取った各ページ画像を左右（または上下）の各ページの画像領域に表示させ、任意の見開きページあるいはその左右のページについては、ステップＳ２０６，Ｓ１４２にて個別に倍率を設定するようにするとよい。
【０１４１】
倍率設定のためのメニューとしては、等倍（縦／横ともに）を示す“プリセット”、印刷用紙Ｐ内に収まる範囲で横および縦の何れか一方が印刷用紙Ｐの横や縦と自動的に一致するように共通の倍率で変倍する“オートリサイズ”、選択指定された横／縦の一方のみが一致するように共通の倍率で変倍する“横リサイズ”や“縦リサイズ”（この場合他方は印刷用紙Ｐ外にはみ出すことがあり得る）、横および縦の両方が印刷用紙Ｐの横や縦と自動的に一致するように独立の倍率で変倍する“全面サイズ”、の各メニューと、たとえば上下左右の各シフトキー６６２〜６６５および確定キー６６６を利用した“任意倍率設定”のメニューを用意するとよい。
【０１４２】
また一般的には、図１０（Ｃ１）に示すように、印刷用紙Ｐの端４辺に、複写できない範囲（マージン）がある。したがって、用紙の端いっぱいまで画像のある原稿を印刷用紙Ｐに複写する場合や、画像を移動させて複写する場合には、数ｍｍの用紙ふち分の画像が消されてしまうことがある。そこで、端４辺のマージン量を変更可能にしてもよい。あるいは、消込み量を考慮して、イメージ欠けが発生しないように、ページ画像を自動または任意に縮小したり移動させるようにしてもよい。
【０１４３】
マージン量を変更するメニューとしては、たとえば、端４辺のマージン量を標準値にする“プリセット”、標準値とは異なる予め用意された複数の設定値の中から選択可能な“サブセット”（選択時はシフトキー６６２〜６６５を利用可能）、上下左右の各シフトキー６６２〜６６５および確定キー６６６を利用した上下左右の各辺のマージン量を所定範囲（たとえば２０ｍｍ）内で任意に設定する“マニュアル設定”のメニューを用意するとよい。なお、“サブセット”の１つには、端４辺のマージン量を“０；ゼロ”にするメニューを用意する。
【０１４４】
また、変倍処理部２７０により、印刷用紙Ｐ上のマージン量を除く範囲に収まるようにページ画像を僅かに縮小（前記“０；ゼロ”のメニューが選択されたときは等倍）する“全面”のメニューを用意する。これにより、画像欠けのない１００％以下の最大倍率を自動選択することができる。なお、画像出力部３０における転写時の位置ズレに起因する画像欠けを考慮し、マージン量の設定として“０；ゼロ”のメニューが選択された状態で“全面”が指定されたときにも、僅かに縮小（たとえば９８％）するようにしてもよい。
【０１４５】
また原稿Ｇのサイズおよび載置向きと印刷用紙Ｐのサイズおよびセット向きの関係によっては、たとえば“Ａ３→Ｂ４”，“Ａ３→Ａ４”“Ａ４→Ａ３”など定型サイズ同士で拡縮するように予め定められている固定倍率で、拡大または縮小してレイアウトすることができることがある。たとえば、見開きサイズＡ３の原稿を読み取るときに、Ａ４サイズの印刷用紙Ｐしか用意されていない場合などである。このような場合、先ず前述の関係から装置にとって都合のよい関係に基づくレイアウトを先ず決定しそのレイアウトをユーザに提示し、ユーザが仕上がりサイズが異なることを許容する場合、ページ画像を前記の固定倍率で拡大または縮小してレイアウトして、両面複写する。
【０１４６】
さらにこの場合において、原稿Ｇと印刷用紙Ｐの向きが異なるときには、図１０（Ｃ２）に示すように、ページ画像を時計方向または反時計方向に９０度回転させて配置する。これにより、その時点にて使用し得るＡ４サイズの印刷用紙Ｐを用いて、見開きサイズＡ３の原稿Ｇを見開きサイズＡ４の冊子にすることができる。勿論、意識的に、小さなもしくは大きなサイズの印刷用紙Ｐを使用して所望サイズの冊子にすることもできる。
【０１４７】
また原稿Ｇサイズと印刷用紙Ｐサイズとの関係によっては、１枚の印刷用紙Ｐの表面（または裏面）に２ページ分より多い領域を確保できることもあり得る。またたとえば、片面に６ページ分（表裏で１２ページ分）の画像をレイアウトすることもできるし、３／２倍に拡大すると片面に４ページ分（表裏で８ページ分）の画像をレイアウトすることもできる、さらにはページ画像を９０度回転させると変倍しなくても片面に４ページ分（表裏で８ページ分）の画像をレイアウトすることができる、などの場合も起こり得る。
【０１４８】
このような場合、第１実施形態で示した、片面に２ページ分の画像をレイアウトする２アップ（表裏で４ページ分）に限らず、それ以上の、たとえば片面に３ページ分の画像をレイアウトする３アップ（表裏で６ページ分）や、片面に４ページ分の画像をレイアウトする４アップ（表裏で８ページ分）、さらには表裏で１２ページ分、…、２ｎページ分というように、印刷用紙Ｐの片面をｎ等分し、そのｎ等分した領域に見開きの左右ページを配置する（計ｎページ）ことで、１枚の印刷用紙Ｐ上により多くのページ数分の複写ができるようにレイアウトしてもよい（図１０（Ｄ）の４アップの例を参照）。また冊子としたときに各ページの上下左右の向きが揃うように、ページによってページ画像を９０度あるいは１８０度回転させてレイアウトしてもよい。
【０１４９】
これにより、印刷用紙Ｐの無駄を防止することができる。また複写代金を節約することもできる。さらに、図１０（Ｄ）に示したページ配列とは異なるが、ｎ等分した領域に、等分線を挟んで同じページ画像を配置するようにすれば、１回の複写操作で、複数（ｎ分）の冊子を作成することができる。
【０１５０】
またたとえば、特に冊子の下地が白色など薄い色の場合は、印刷用紙Ｐ上での裁断位置や２つ折り位置が分かり難くなることがある。このような場合、冊子の下地濃度が所定レベル以下のときには、ページごとに分かれるように、たとえば図１０（Ｅ１）に示すような切取線や折線を全体に亘って、あるいは、図１０（Ｅ２）に示すように切取位置を示すマーカー（切取マーカやトンボ）を頂角部分や端辺部分などに、自動的に付加してもよい。また、折線あるいは切取線やマーカを付加するかどうかやその付加位置をユーザインタフェース部６０にて、ユーザが指定できるようにしてもよい。
【０１５１】
なお、裁断位置と２つ折り位置とを区別可能なように、たとえば裁断位置を点線で、２つ折り位置を一点鎖線で示すなど、線種を変えておくことが望ましい。これにより、間違うことなく複数の見開きページに裁断でき、また２つ折りが簡単になり、小冊子が作り易くなる。また、２つ折り位置を示す折線を目安にして、中綴じ用のステープルを打つこともできる。
【０１５２】
また、セット基準に原稿Ｇの１頂点を合わせて読み取ったとしても、読取画像には多少の傾きを持つこともある。またその傾きは左右のページで異なることもあり、ページを捲って読み取る都度、あるいはプラテンカバー１１６（やユーザの手）での原稿Ｇの抑え方によっても異なる。このような場合、見開き状態であるいは左右ページ独立で、画像の傾きを自動的に判断し、たとえばアフィン変換などの公知の画像回転の手法を利用して原稿画像を所定量だけ回転させることで、その傾きを自動補正するようにしてもよい。あるいは、ユーザインタフェース部６０を介して、ユーザからの指定により画像を回転させるようにしてもよい。
【０１５３】
なお、図９に示したステップＳ１０２では全ページに対して回転量を“０；ゼロ”にプリセットしておき、ステップＳ１３８以降の画像確認およびレイアウト変更の際には、読み取った各ページ画像を左右（または上下）の各ページの画像領域に表示させ、任意の見開きページあるいはその左右のページについては、ステップＳ２０６，Ｓ１４２にて個別に傾きを補正するようにするとよい。
【０１５４】
傾きを補正するメニューとしては、たとえば、見開きページを１つの画像として回転させる“全ページ回転”、左右のページ画像を独立で回転させる“左ページ回転”や“右ページ回転”、それぞれの回転中心を画像中心および４頂点の中の１つから設定する“回転中心設定”、その任意の見開き画像もしくは各ページ画像の回転量を“０；ゼロ”（プリセット）に戻す“クリア”、の各メニューを用意する。回転量の調整は上下左右の各シフトキー６６２〜６６５および確定キー６６６を利用するとよい。また、上下左右の各シフトキー６６２〜６６５および確定キー６６６を利用した回転中心を任意に設定する“マニュアル中心設定”のメニューを用意してもよい。
【０１５５】
上述のようにして、種々のレイアウト設定態様の中からユーザの好みのレイアウトが設定されると、その設定情報はユーザインタフェース部６０から画像取得部１０や電子ソート部２００に通知される。そして画像取得部１０にて原稿Ｇを読み取る際に読取光学系の縮小率を変えることで設定された変倍率で読み取る、あるいは電子ソート部２００にて記憶媒体２０２に画像データ（画像形成データ）を記憶する際に、ページによって９０度または１８０度回転させ、原稿サイズと印刷用紙サイズに合わせて変倍処理して記憶させるなどすることにより、ソートの処理時間を短縮することができる。
【０１５６】
なお、予め画像取得部１０にて等倍以外の設定された変倍率で読み取る場合、その読取倍率をページ画像に対応付けて記憶媒体２０２に記憶しておくことが望ましい。こうすることで、あとで倍率変更する際に不都合を生じない。
【０１５７】
図１１は、第３実施形態の処理の概要を示す図であって、図１１（Ａ１）および図１１（Ａ２）は原稿Ｇの一例を示す図、図１１（Ｂ）は処理手順の一例を示したフローチャートである。ユーザインタフェース部６０および電子ソート部２００の機能構成のブロック図は、第１実施形態と同じでよい。この第３実施形態は、中綴じでない書籍などの片綴じの原稿を読み取って中綴じの冊子にする形態である。図１１（Ｂ）では、第２実施形態への変更態様として示している。
【０１５８】
原稿Ｇが元々中綴じであれば、各用紙上に４ページ分の画像が存在し（無画像も含む）、その用紙（見開きサイズ）の枚数をＱとすると、総ページ数Ｎは、４Ｑとなる（図３や図７（Ａ）を参照）。しかしながら、原稿Ｇが中綴じでない場合には、片サイズ（見開きの半分のサイズ）の用紙の枚数をｑとすると、総ページ数Ｎは、図１１（Ａ１）に示すように、ｑ＝２ｍ（ｍは正の整数）のときにはＮ＝２ｑ＝４ｍとなり、総ページ数が４の倍数であるので、片サイズの長辺側を合わせた大きさの印刷用紙Ｐをｍ枚使うことで、複写物を中綴じにすることができる。
【０１５９】
これに対して、図１１（Ａ２）に示すように、ｑ＝２ｍ＋１（ｍは正の整数）のときにはＮ＝２ｑ＝４ｍ＋２となるので、そのままでは中綴じにすることはできない。そこで第３実施形態では、さらに２ページ分を所定位置に付加して、総ページ数を４の倍数にすることで、図１１（Ａ２）に示す原稿Ｇについても中綴じにすることとする。
【０１６０】
たとえば図１１（Ｂ）に示すように、中綴じモードが設定されているときには（Ｓ１００−ＹＥＳ）、第２実施形態と同様に、レイアウトを初期設定し（Ｓ２００）、原稿Ｇの載置位置や向き（天地を含む）あるいは読み込む順序をユーザに案内しながら、原稿Ｇを見開き状態で読み取り、読み取った見開き画像を記憶媒体２０２に保持する（Ｓ２０２；第１実施形態のＳ１０２〜Ｓ１１４）。全ページ分を読み込んだら（Ｓ１１６−ＹＥＳ）、レイアウト設定をユーザに確認させながら、それぞれのページ画像を用意する（Ｓ３００；第１実施形態のＳ１２０〜Ｓ１３４と同じ）。
【０１６１】
そして、画像ソート部２４０は、読み込んだ総ページ数Ｎが４の倍数（Ｎ＝４Ｑ）であるか否かを判断する（Ｓ３０２）。総ページ数Ｎが４の倍数でなければ、画像ソート部２４０は、中綴じするためには不足する２ページ分の画像を追加する（Ｓ３０２−ＮＯ，Ｓ３０４）。
【０１６２】
２ページ分を付加する位置は、たとえばステップＳ３０４の右側の枠内の下段に示すように、表紙側あるいは裏表紙側の最初の見開き位置とするのがよい（図は裏表紙側の例）。これは、通常であれば、表紙を１ページ、裏表紙を最終ページに配するとともに、元原稿Ｇの見開き状態を維持するようにするためである。なおこれに限らず、任意の位置に配してもよい。たとえば、ステップＳ３０４の右側の枠内の上段に示すように、最終ページ（図では１０ページ）に引き続いて単純に追加するだけでもよい。
【０１６３】
追加する２ページ分の画像は無画像（白紙ページ）であってもよいし、予め用意されている画像であってもよいし、ユーザにて指定された画像でもよい。あるいは、ステップＳ２０６の下側の枠内に示すように、最内部に位置する印刷用紙Ｐの裏面に配置してもよい。この場合、白紙ページとするのがよい。
【０１６４】
中綴じ可能になったら（Ｓ３０２−ＹＥＳまたはＳ３０４の後）、画像ソート部２４０は、全てのページ画像（Ｓ３０４を経由するときには追加した２ページ分を含む）について、指定されたレイアウト設定と適合するように、第１実施形態のステップＳ１３６と同様にソートなどの処理する。
【０１６５】
そしてステップＳ１３８にて複写イメージ画像を表示部６９０に表示させ、レイアウト変更を必要とするかどうかをユーザに問い合わせる（Ｓ２０４）。ユーザインタフェース部６０は、ユーザからのレイアウト変更の意志を受け付けると、変更受付部２８０に通知する（Ｓ２０４−ＹＥＳ）。この通知を受けた変更受付部２８０は、表示部６９０の表示画面をレイアウト設定画面に切り替えさせ、設定変更の通知を待つ（Ｓ２０６）。
【０１６６】
変更受付部２８０は、総ページ数Ｎが４の倍数でないときには、このレイアウト設定画面上にて、２ページ分を付加する位置や追加する２ページ分の画像の変更も受け付ける（Ｓ１４２，Ｓ３０４）。そして、問題ない場合には（Ｓ２０４−ＮＯ）、第１実施形態のステップ１４４〜Ｓ１４８と同様に、画像再構成部２５０により中綴じ可能な所定ページ分の１枚の見開き画像を再構成してから、画像出力部３０にて転写処理する。
【０１６７】
このように第３実施形態によれば、片綴じの原稿Ｇを読み取ったときに、その総ページ数が４の倍数でない場合であっても、不足する２ページ分を挿入することにより、中綴じの冊子を作成することができる。
【０１６８】
なお、この第３実施形態から推測されるように、中綴じであるのか片綴じであるのかを問わず、全ページを読み込んでいないために総ページ数が４の倍数とならない場合（奇数も含む）、総ページ数が４の倍数となるように不足のページ数分の画像を追加することで、このような特殊な読取り形態であっても、中綴じの冊子を作成することができる。
【０１６９】
図１２は、ユーザインタフェース部６０および電子ソート部２００の機能構成の他の形態を示すブロック図である。以下この形態を第４実施形態という。この第４実施形態では、電子ソート部２００は、第１実施形態の記憶媒体２０２に代えて、画像メモリ２０４を備えている。なお図示していないが、電子ソート部２００は、後述の各種処理を画像に対して施すためのワークメモリを有する。
【０１７０】
画像メモリ２０４としては、印刷用紙Ｐ１枚分の容量のものを使用する。この画像メモリ２０４は、たとえば第１実施形態のように、片面に２ページ分を配する場合であれば、原稿Ｇを読み取った２ページ分の画像を保持する。また第２実施形態の図１０（Ｄ）に示したように、片面に２ページ分よりも多い２ページ分を配する場合であれば、原稿Ｇを読み取った２ページ分の画像を保持する。なお、いずれにしても、印刷用紙Ｐ１枚分の容量であることに変わりはない。
【０１７１】
この第４実施形態では、原稿Ｇを読み込んだ全てのページ画像を画像メモリ２０４に記憶することはできない。そこで、見開き原稿を読み取って中綴じの冊子を作成する際の、印刷用紙Ｐ上に配置すべきページ画像の関係（図７（Ａ）を参照）に基づいて、印刷用紙Ｐの表面や裏面に見開き状態の複数のページ画像を配置するために読み込むべきページをユーザに案内して、その案内に従って原稿Ｇを読み込んで見開き状態の画像を画像メモリ２０４に保持してから、画像出力部３０にて転写処理をするという一連の処理を、全ページの読み取りが所定順で終わるまで系列的に繰り返す。
【０１７２】
原稿Ｇの載置位置や向き（天地を含む）をユーザに案内してもよい。このとき、図示しないワークメモリを利用して、画像回転や拡縮などの処理をしてもよい。勿論、読取り後、転写に先立って、ユーザに複写イメージ画像を提示し、変更を受け付けるようにしてもよい。この変更には、ページ画像の再読取（読み直し）も含む。
【０１７３】
図１３は、第４実施形態の処理手順の一例を示したフローチャートである。図１３では、第２実施形態への変更態様として示している。たとえば、８ページの左綴じ冊子を読み取って左綴じかつ中綴じの冊子を作成する場合、電子ソート部２００は、まず１枚目表面に転写されるべき１および８ページの画像を読み取らせる。すなわち、１ページ目（表紙）および８ページ目（裏表紙）を見開いた状態でプラテンガラス１１のセット基準に天地を合わせて置くように表示部６９０やスピーカ６９２などを利用して指示する（Ｓ４００）。
【０１７４】
そして、読み取った見開き画像（図７（Ｃ）の左から１番目を参照）を画像メモリ２０４に保持させる（Ｓ４０２）。画像分割部２２０は、画像メモリ２０４から見開き画像を読み出してページ画像（図７（Ｂ）の左から１番目と２番目を参照）に分割し、再度画像メモリ２０４に保持させる（Ｓ４０４）。
【０１７５】
画像再構成部２５０は、画像メモリ２０４から読み出した１ページ目の画像を右側に、８ページ目の画像を左側に配してページ再配列した見開き画像（図７（Ｄ）の左から１番目を参照）を生成し、再度画像メモリ２０４に保持する（Ｓ４０６）。このとき、原稿Ｇと印刷用紙Ｐのサイズ関係や配置関係など必要に応じてページ画像を回転させてから見開き状に配する。
【０１７６】
引き続き、電子ソート部２００は、この見開き状にした画像（複写イメージ画像）を表示部６９０にてユーザに提示する（Ｓ４０８）。この表示には、読み込むべきページ番号などを表示するのがよい。このとき最初にユーザから総ページ数の入力を受けていたときには、最終ページ側のページ番号を表示できるが、そうでない場合には、“最終ページ”と表示する。
【０１７７】
ユーザインタフェース部６０は、ユーザからのレイアウト変更の意志を受け付けると、変更受付部２８０に通知する（Ｓ４１０−ＹＥＳ）。この通知を受けた変更受付部２８０は、表示部６９０の表示画面をレイアウト設定画面に切り替えさせ、設定変更の通知を待つ（Ｓ２０６ａ）。たとえばユーザは、読込みページのミス（片ページ読みも含む）があったときには再読込できる。
【０１７８】
特に不都合がなければ、ユーザはスタートキー６３０を押下する。記憶制御部２３０は、このスタートキー６３０の押下を受けると、画像メモリ２０４に保持されている１枚目の表用の見開き画像（表紙および裏表紙分）を示す画像形成データ（２アップ画像）を読み出して画像出力部３０に入力する。画像出力部３０は、この画像形成データに基づいて１枚目の表面に転写処理をし、印刷用紙Ｐを反転させて、両面複写路５６から感光体ドラム３２の前までの所定位置で裏面転写に控える（Ｓ４２０）。
【０１７９】
この１枚目表面への転写処理が完了したら、電子ソート部２００は、１枚目裏面に転写されるべき２および７ページの画像を読み取るように指示する。このとき、２および７ページを見開いた状態で同時に読み込むことはできないので、表表紙側（ここでは２ページ目）および裏表紙側（ここでは７ページ目）の何れか一方ずつ、各ページを独立で、その天地をセット基準に合わせるように原稿Ｇのセット方法を表示部６９０やスピーカ６９２などで案内するとともに、読み込むべきページを指示する（Ｓ４３０）。
【０１８０】
このとき、上記ステップＳ４０８と同様に、先に読み取った表紙および裏表紙に基づいて電子ソート部２００（具体的には画像再構成部２５０）により生成した見開き状の画像を表示部６９０にてユーザに提示する。これにより、ユーザは、案内されたページ番号だけでなく、この見開き状の画像によっても、次に読み取らすべき表紙側あるいは裏表紙側のページを特定することができる。
【０１８１】
次に記憶制御部２３０は、読み取った各ページの画像（図７（Ｂ）の左から３番目と右から１番目を参照）を画像メモリ２０４に保持させる（Ｓ４３２）。画像再構成部２５０は、画像メモリ２０４から読み出した７ページ目の画像を右側に、２ページ目の画像を左側に配してページ再配列した見開き画像（図７（Ｄ）の左から１番目を参照）を生成し、再度画像メモリ２０４に保持する（Ｓ４３４）。このとき、原稿Ｇと印刷用紙Ｐのサイズ関係や配置関係など必要に応じてページ画像を回転させてから見開き状に配する。
【０１８２】
引き続き、電子ソート部２００は、この２および７ページを見開き状にした画像を表示部６９０にてユーザに提示する（Ｓ４３６）。この表示には、“２ページ”（一般化するとｎページ）と最終ページ側のページ番号“７”（一般化すると“Ｎ−ｎ＋１”ページ）そのもの、もしくは“最終ページ−１”（一般化すると“最終ページ−１＋１”）と表示する。
【０１８３】
そして、１枚目表面と同様に、必要に応じて変更を受け付けた後（Ｓ４３８）、画像メモリ２０４に保持されている１枚目裏用の見開き画像を示す画像形成データ（２アップ画像）を読み出して画像出力部３０に入力する。画像出力部３０は、この画像形成データに基づいて１枚目の表面に転写処理をする（Ｓ４４０）。そして、裏面転写が完了した後、印刷用紙Ｐを機外へ排出する（Ｓ４４６）。
【０１８４】
以下２枚目の表→…というように、総ページ数の１／４枚の裏面への転写が完了するまで、次の印刷用紙Ｐの表面もしくは裏面の左右に転写されるべきページの画像を、その読み取るべきページを案内しながら、各ページごとに読み取らせ、上記ステップＳ４３０〜Ｓ４４６の処理を繰り返す（Ｓ４４４）。またこのとき、上記ステップＳ４３０について述べたように、先に読み取った生成した見開き状の画像を表示部６９０にてユーザに提示する。これにより、ユーザは、案内されたページ番号だけでなく、この先に（直前に）読み取って生成した見開き状の画像によっても、次に読み取らすべき表紙側あるいは裏表紙側のページを特定することができる。
【０１８５】
各印刷用紙Ｐについて、表面転写が完了した後には、印刷用紙Ｐを反転させて、感光体ドラム３２の前で裏面転写に控える。なお、最内部の見開きページは、総ページ数が４の倍数である限り、表紙および裏表紙と同じように見開きの状態で同時に読み取ることもできる。そこで、たとえばユーザから“最終読込”である旨の指示を受けたときには、ステップＳ４００のように見開いた状態でプラテンガラス１１のセット基準に天地を合わせて置くように指示して読取り、ステップＳ４０４のように各ページ画像に分割してもよい。
【０１８６】
このように、第４実施形態によれば、電子ソート部２００による案内に従って原稿Ｇの所定ページを読み取ることで、少ないメモリ容量（印刷用紙Ｐ１枚分）でも、複数の印刷用紙Ｐに対して中綴じ可能な両面印刷を完結させることができる（図７（Ｅ）を参照）。電子ソート部２００による案内は、装置固有の転写状況や印刷用紙Ｐの載置向きなどに応じて適切な置き方などを指示できるので、ユーザは、原稿Ｇを捲って指示されたように原稿Ｇをプラテンガラス１１上に置くだけでよく、戸惑うことなく中綴じ可能な複写物を生成できる。
【０１８７】
上記第４実施形態では、表紙および裏表紙を見開きで読み取ることとしていたが、他の内側のページと同じように、それぞれ独立に読み取ってもよい。また、表紙側および裏表紙側の各ページを独立に読み取るに際しては、各ページの天地をセット基準に合わせるようにしていたが、見開き状態でセット基準に合わせるようにしてもよい。
【０１８８】
これは、たとえば左綴じの冊子の場合、表紙側のページの天地をセット基準に合わせようとすると、綴じ代部分をリードレジガイドＬＲＧに合わせる必要があるが、実際にはリードレジガイドＬＲＧと綴じ代部分とが突き当たらないので、傾きがないようにセットすることは難しく、それよりも、見開き状態にして右ページ側（裏表紙側のページ）の端辺をリードレジガイドＬＲＧに突き当ててることで、傾きがないようにセットすることの方が容易だからである。
【０１８９】
また、裏表紙側のページの天地をセット基準に合わせようとすると、見開き状態よりもさらに開き略３６０度まで捲ってから、裏表紙側のページの端辺をリードレジガイドＬＲＧに突き当てる必要があり冊子に対してストレスを与えてしまうが、それよりも、見開き状態にして裏表紙側のページの端辺をリードレジガイドＬＲＧに突き当て、左ページ（表紙側のページ）を、そのまま見開きにしておいた方がセットが容易で、冊子に対してもストレスを与えないからである。
【０１９０】
これらの場合、見開き状態でセットされたことを原稿センサ１１８により検知することができる。そして、原稿Ｇの全面すなわち読取領域ＧＡ＋読取領域ＧＢに亘って見開きサイズで読み取ってから、画像分割部２２０により左右ページに分割し、該当ページ部分の画像を取り出す。あるいは、何れのページを読み込むべきかを前記案内により判断できるので、それとの対応をとって、たとえば左綴じの場合、表紙側のページを読み込む必要があるときには読取領域ＧＢのみ、裏表紙側のページを読み込む必要があるときには読取領域ＧＡのみをそれぞれ片サイズで読み取るようにしてもよい。これにより、ユーザは、読取り対象ページに合わせて原稿Ｇのセットの仕方を変える必要はなく、常に原稿Ｇを見開きでセットすればよく、原稿Ｇのセット方法を特別に意識しなくてもよくなる。
【０１９１】
なお、上記説明では印刷用紙Ｐの片面に２ページ分を配置させることとしていたが、この第４実施形態においても、たとえば図１０（Ｄ）に示したように、それ以上の数のページ画像を配置することもできる。
【０１９２】
上記第４実施形態では、読み取った原稿Ｇが中綴じでない場合、あるいは読込ミスなどによって、総ページ数が４の倍数でないことも起こり得る。そこで、このような場合にも読み取ったページ分を中綴じ可能なように、全ページ読取り完了の指示を受けた後、画像ソート部２４０は、読み込んだ総ページ数Ｎが４の倍数（Ｎ＝４Ｑ）であるか否かを判断する（Ｓ４５０）。総ページ数Ｎが４の倍数でなければ、最後の印刷用紙Ｐは、表面への転写が完了し、反転した状態で裏面への転写を待機している状態にある。
【０１９３】
そこで、この表面への転写が完了している印刷用紙Ｐを、そのまま直ちに機外へ排出する。すなわち、裏面は白紙ページとしておく。あるいは画像ソート部２４０は、中綴じするためには不足する２ページ分の画像を追加し転写させた後に機外へ排出する（Ｓ４５２−ＮＯ，Ｓ４５４）。追加する２ページ分の画像は、予め用意されている画像であってもよいし、ユーザにて指定された画像であってもよい。
【０１９４】
なお、予め総ページ数が４の倍数でないことが分かっているときには、先ず上記第３実施形態で説明したように、不足ページに対応して追加すべきページの位置およびそれに使用する画像を予め決定し全体の原稿Ｇのページ配列を求める。次に、この求めたページ配列に応じて、中綴じ可能にするためのページ配置を図７（Ａ）に示したようにして決定し、その結果に基づいて、系列的に読み取らすべきページをユーザに案内しながら該当ページの画像を読み取るようにすればよい。たとえば総ページ数が指定されたときに、４の倍数でなければ、最初に追加ページを配すべき位置や画像の指定を受け、それに応じたページ画像の読取り順序を決定し、その決定に基づいて、読み取るべきページをユーザに案内する。
【０１９５】
上記第４実施形態では、反転機構部５０を利用して印刷用紙Ｐを反転させる形態で説明したが、ユーザの手を介して印刷用紙Ｐを反転させもよい。この場合、読み取るべきページや、原稿Ｇのプラテンガラス１１へのセット方法を表示部６９０などで案内することに加え、手差し用の原稿カセット４１への、表面に画像が転写された印刷用紙Ｐのセット方法（縦置き／横置きの区別、天地の何れを挿入口に配するか、あるいは表裏の何れを上にして載置するかなど）も案内する。
【０１９６】
これにより、ユーザの手を介して反転させて両面複写する場合であっても、ユーザは、原稿Ｇを捲って指示されたように原稿Ｇをプラテンガラス１１上に置き、裏面転写時には、指示されたように印刷用紙Ｐを手差し用の原稿カセット４１に置くだけでよく、戸惑うことなく中綴じ可能な複写物を生成できる。
【０１９７】
なお、このよう手差し用の原稿カセット４１を利用するのは、裏面への転写時に限らず、表面への転写時にも利用してもよい。たとえば、給紙トレイ５２では適用できない、ＣＤ歌詞カードなど非定型サイズの原稿Ｇを複写する際、その歌詞カードと同じ大きさの用紙など、非定型サイズで特定用途の用紙に対しても、中綴じ可能なように両面転写ができる。
【０１９８】
図１４は、ユーザインタフェース部６０および電子ソート部２００の機能構成の他の形態を示すブロック図である。以下この形態を第５実施形態という。この第５実施形態では、電子ソート部２００は、第１実施形態の記憶媒体２０２や第４実施形態の画像メモリ２０４を備えていない。その代わりに、第１実施形態や第４実施形態で図示を割愛した、各種処理を画像に対して施すためのワークメモリ２０６を図示した。
【０１９９】
画像出力部３０には、電子ソート部２００から、印刷用紙Ｐ上の表面／裏面の何れの側に配置すべきかを示す情報に加えて、印刷用紙Ｐ上の左右の何れの側に画像を配置すべきかを示す情報が入力される。
【０２００】
図１５は、第５実施形態の処理手順の一例を示したフローチャートである。図１５では、第２実施形態への変更態様として示している。この第５実施形態では、原稿Ｇを読み込んだ全てのページ画像をワークメモリ２０６に記憶することはできない。
【０２０１】
そこで、先ず画像ソート部２４０は、見開き原稿を読み取って中綴じの冊子を作成する際の、印刷用紙Ｐ上に配置すべきページ画像の関係（図７（Ａ）を参照）に基づいて、印刷用紙Ｐの表面や裏面に見開き状態の複数のページ画像を配置するために読み込むべきページ順序を決定し（Ｓ５００）、この順序に従って読み込むページをユーザに案内する（Ｓ５０２）。そしてその案内に従って原稿Ｇを読み込んで見開き状態の画像（表紙および裏表紙のみ可能）もしくはそれぞれ独立のページ画像を取得し、必要に応じて画像回転や拡縮などの処理をした後、直ちに画像出力部３０に送る（Ｓ５０４）。
【０２０２】
画像出力部３０は、感光体ドラム３２上の所定領域にページ画像を１枚分ずつ記録することで見開き画像を潜像として形成し（Ｓ５０６）、その後印刷用紙Ｐに転写する（Ｓ５０８）。この一連の処理を、全ページの読み取りが所定順で終わるまで系列的に繰り返す（Ｓ５１０）。そして裏面転写が完了した後、印刷用紙Ｐを機外へ排出する（Ｓ５１２）。
【０２０３】
この際、第４実施形態と同様に、これらの一連のページ画像の読込みの都度、何れのページを読み込むべきかの他に、原稿Ｇをどのような状態でプラテンガラス１１上にセットするのかなどを、表示部６９０やスピーカ６９２などでユーザに案内する（Ｓ５０２）。つまり基本的には、中綴じ可能に両面印刷するための図７（Ａ）に示す条件に基づいて決定されるページ順序に従って、独立でページ画像を読み込む。そして、対応するもう半面分のページ画像を読み込む。
【０２０４】
このとき、電子ソート部２００は、読み込んだページ画像を、印刷用紙Ｐ上の左右の何れの側および表面／裏面の何れの側に配置すべきかを、図７（Ａ）に示す条件に基づいて画像出力部３０に指示する。画像出力部３０では、先ず感光体ドラム３２の画像書込領域（潜像としての画像領域）を、右ページ用と左ページ用とに領域分割する。
【０２０５】
そして、電子ソート部２００から２つに分けて送られてくる左右の各ページ画像を表す画像形成データに基づいて、ポリゴンミラー３９などの書込走査光学系により、電子ソート部２００から指示された左右の何れの側に配置すべきかを示す位置情報に対応する前記領域分割した画像書込領域に、それぞれのページ画像を書き込むことで、感光体ドラム３２上に、見開き画像を潜像として形成する（Ｓ５０６）。
【０２０６】
このように、上記第５実施形態によれば、画像回転などの処理に使用するワークメモリ以外の記憶媒体を備えていなくても、中綴じ可能にするためのページ順序を求め、その順序で原稿Ｇを所定位置にセットするようにユーザに案内しながら各ページ画像を読み込むという一連の処理を繰り返すことで、中綴じ可能に両面複写することができる。
【０２０７】
上記説明では印刷用紙Ｐの片面に２ページ分を配置させることとしていたが、感光体ドラム３２の画像書込領域を、たとえば図１０（Ｄ）に示した転写態様に対応するようにより多くの数に領域分割することで、２よりも多くのページ画像を片面に配置することもできる。
【０２０８】
なお上記第５実施形態では、印刷用紙Ｐの片面に配置すべき複数のページ画像を感光体ドラム３２上に潜像として形成してから印刷用紙Ｐ上に転写していたが、必ずしもこのような態様に限らない。たとえば、片面に２ページ分を配置する場合、読み込んだ片方のページ画像を感光体ドラム３２上に潜像として形成したら直ちに、印刷用紙Ｐ上の、電子ソート部２００から指示された左右の何れの側に配置すべきかを示す位置情報に対応する位置に転写し、その転写済の印刷用紙Ｐを機外へ排出する。
【０２０９】
そして、ユーザの手を介してその印刷用紙Ｐを、手差し用の原稿カセット４１へ載置するように指示する。このとき、上記第４実施形態の変形例（手差しによる裏面への転写対応）で説明したのとは異なり、表面の左右の何れか一方に画像が転写された印刷用紙Ｐのセット方法（縦置き／横置きの区別、天地の何れを挿入口に配するか、あるいは表裏の何れを上にして載置するかなど）を案内する。
【０２１０】
そして、もう片方用に読み取るべきページや、原稿Ｇのプラテンガラス１１へのセット方法を表示部６９０などで案内して、その画像を読み取らせる。画像出力部３０は、読み込んだ残りの片方のページ画像を感光体ドラム３２上に潜像として形成したら直ちに、印刷用紙Ｐ上の、電子ソート部２００から指示された左右の何れの側に配置すべきかを示す位置情報に対応する位置（１回目と対になる側）に転写する。このように数回に分けて転写処理をしても、印刷用紙Ｐの表面に複数（本例では２）のページ画像を形成することができる。
【０２１１】
こうして表面への転写処理が完了したら、その印刷用紙Ｐを反転機構部５０側へ送るのは上記他の実施形態と同じである。そして、裏面についても、表面と同じようにして、数回に分けて転写処理をすることで、印刷用紙Ｐの裏面に複数のページ画像を形成する。
【０２１２】
このように、中綴じ可能に両面印刷するための図７（Ａ）に示す条件に基づいて決定されるページ順序に従って、それぞれ独立でページ画像を読み込んだら、印刷用紙Ｐ半面分のページ画像をその印刷用紙Ｐ上の所定位置に転写し、引き続き、対応するもう半面分のページ画像を読み込んで、印刷用紙Ｐの残りの半面にそのページ画像を転写することで、見開き状の画像を１枚の印刷用紙Ｐ上の表面もしくは裏面に形成することができ、これにより、中綴じ可能な両面複写物を生成することができる。
【０２１３】
なお上記実施形態では、電子ソート部２００やユーザインタフェース部６０のそれぞれの機能要素をハードウェアで構成する例を示したが、これに限らず、ＣＰＵ（central processing unit）、ＲＯＭ（read only memory）、ＲＡＭ(random access memory)、通信Ｉ／Ｆ（インターフェース）、ハードディスク装置、ＦＤ（flexible disk）ドライブ、およびＣＤ−ＲＯＭ（compact disk ROM） ドライブなどを備えたパソコンなどの電子計算機で構成することもできる。
【０２１４】
上記のような構成をとった場合、スキャンしたイメージにパソコンなどで作成したイメージを加えたり入れ替えたりなどの画像合成処理をすることもできる。たとえば表紙のイメージだけをパソコンで生成したイメージにするなどである。また、スキャンしたイメージの濃度や色調を加工したりといった変更（画像編集処理）もすることができる。
【０２１５】
そして電子計算機により構成される電子ソート部２００やユーザインタフェース部６０は、上記に示した各実施形態の基本的な構成および動作と同様とすることができる。たとえば、上記実施形態の処理手順をコンピュータに実行させるプログラムは、ＣＤ−ＲＯＭなどの記録媒体を通じて配布される。あるいは、前記プログラムは、ＣＤ−ＲＯＭではなくＦＤに格納されてもよい。また、ＭＯドライブを設け、ＭＯに前記プログラムを格納してもよく、またフラッシュメモリなどの不揮発性の半導体メモリカードなどのその他の記録媒体に前記プログラムを格納してもよい。またサーバなどからインターネットなどの通信網を経由して前記プログラムをダウンロードして取得したり、あるいは更新してもよい。
【０２１６】
なお、記録媒体としては、フロッピィディスクやＣＤ−ＲＯＭなどの他にも、ＤＶＤなどの光学記録媒体、ＭＤなどの磁気記録媒体、ＰＤなどの光磁気記録媒体、テープ媒体、磁気記録媒体、ＩＣカードやミニチュアーカードなどの半導体メモリーを用いることができる。
【０２１７】
記録媒体の一例としてのフロッピィディスクやＣＤ−ＲＯＭなどには、上記実施形態で説明した電子ソート部２００などの一部または全ての機能を格納することができる。したがって、以下のプログラムや当該プログラムを格納した記憶媒体を提供することができる。たとえば、電子ソート部２００のプログラム、すなわちＲＡＭなどにインストールされるソフトウェアは、上記実施形態に示された電子ソート部２００と同様に、画像認識部２１０、画像分割部２２０、記憶制御部２３０、画像ソート部２４０、および画像再構成部２５０などの各機能部をソフトウェアとして備える。
【０２１８】
そして、上述した電子ソート部２００における各機能部を構成するためのプログラムを格納したＣＤ−ＲＯＭなどからプログラムを読み出してハードディスク装置などにインストールさせておき、ハードディスク装置からプログラムを読み出してＣＰＵが上記の処理手順を実行することにより、上記機能をソフトウェア的に実現することができる。
【０２１９】
たとえばＣＤ−ＲＯＭドライブは、ＣＤ−ＲＯＭからデータまたはプログラムを読み取ってＣＰＵに渡す。そしてソフトウエアはＣＤ−ＲＯＭからハードディスク装置にインストールされる。ハードディスク装置は、ＦＤドライブまたはＣＤ−ＲＯＭドライブによって読み出されたデータまたはプログラムや、ＣＰＵがプログラムを実行することにより作成されたデータを記憶するとともに、記憶したデータまたはプログラムを読み取ってＣＰＵに渡す。ハードディスク装置に格納されたソフトウエアは、ＲＡＭに読み出された後にＣＰＵにより実行される。たとえばＣＰＵは、記録媒体の一例であるＲＯＭおよびＲＡＭに格納されたプログラムに基づいて上記各実施形態と同様に処理する。
【０２２０】
図１６は、電子ソート部やユーザインタフェース部などを電子計算機の一例であるパソコンを利用して構成した場合における複写装置（複写システム）の一構成例を示す図である。
【０２２１】
ここで、図１６（Ａ）に示す複写システムは、電子ソート部やユーザインタフェース部などの機能をなすパソコン９１０、スキャナ９２０、およびプリンタ９３０が接続されて構成されている。
【０２２２】
パソコン９１０には、自身全体を制御するソフトウェアであるＯＳ（オペレーティングシステム）や、上記第１実施形態で説明した画像処理部や電子ソート部と同様の機能をなすためのソフトウェアや、プリンタ９３０を制御するためのソフトウェアであるプリンタドライバがインストールされる。
【０２２３】
それぞれの接続は、たとえばＲＳ−２３２Ｃ、ＵＳＢ（ＵＳＢ；Universal Serial Bus）、あるいはＩＥＥＥ１３９４（ＩＥＥＥ；Institute of Electrical and Electronics Engineers, Inc. ；米国電気電子学会）などの通信規格による比較的近距離の接続態様、さらにはインターネットなどの大規模なネットワークを介した比較的遠距離の接続態様であってもよい。なお、これらは有線に限らず無線を介して接続されていてもよい。
【０２２４】
この図１６（Ａ）に示す構成においては、先ずスキャナ９２０により原稿を読み取る（Ｓ６００）。スキャナ９２０は、読み取った読取画像データを、たとえばＲ，Ｇ，Ｂなどのデータ形式でパソコン９１０に送信する（Ｓ６０２）。パソコン９１０は、スキャナ９２０から受け取った読取画像データを用いて、上記第１実施形態で説明した画像処理部や電子ソート部と同様にして画像処理や電子ソートをして、冊子形態となるような見開き画像を生成する（Ｓ６０４）。そして、この見開き画像をプリンタドライバにより印字データ化して、プリンタ９３０に送信する（Ｓ６０６）。プリンタ９３０は、受け取った印字データに基づいて、見開き画像を印刷出力する（Ｓ６０８）。
【０２２５】
なお印字データは、たとえばぺージ記述言語（ＰＤＬ：Page Description Language） 形式であってもよいし、さらにパソコンにてラスタデータ化したＹ，Ｍ，Ｃ，Ｋなどのデータであってもよい。ＰＤＬ形式でプリンタ９３０に送信する場合には、プリンタ９３０側にてラスタデータに展開する。
【０２２６】
一方図１６（Ｂ）に示す複写システムは、電子ソート部やユーザインタフェース部などの機能をなすパソコン９１０と、スキャナ部９４２および出力部９４４を有する複写装置９４０とが接続されて構成されている。複写装置９４０のスキャナ部９４２は、上記第１実施形態で説明した画像取得部１０と同様の機能を備える。また複写装置９４０の出力部９４４は、上記第１実施形態で説明した画像出力部３０（ただし電子ソート部の機能は除く）と同様の機能を備える。スキャナ部９４２には、上記第１実施形態で説明した画像処理部２０の機能を持たせてもよい。
【０２２７】
パソコン９１０には、自身全体を制御するソフトウェアであるＯＳ（オペレーティングシステム）や、上記第１実施形態で説明した画像処理部や電子ソート部と同様の機能をなすためのソフトウェアや、複写装置９４０の出力部９４４を制御するためのソフトウェアであるプリンタドライバがインストールされる。
【０２２８】
パソコン９１０と複写装置９４０は、たとえばＲＳ−２３２Ｃ、ＵＳＢ、あるいはＩＥＥＥ１３９４などの通信規格による比較的近距離の接続態様、さらにはインターネットなどの大規模なネットワークを介した比較的遠距離の接続態様であってもよい。なお、有線に限らず無線を介して接続されていてもよい。
【０２２９】
この図１６（Ｂ）に示す構成においては、先ず複写装置９４０のスキャナ部９４２により原稿を読み取る（Ｓ６１０）。スキャナ部９４２は、読み取った読取画像データを、たとえばＲ，Ｇ，Ｂなどのデータ形式でパソコン９１０に送信する（Ｓ６１２）。パソコン９１０は、スキャナ部９４２から受け取った読取画像データを用いて、上記第１実施形態で説明した画像処理部や電子ソート部と同様にして画像処理や電子ソートをして、冊子形態となるような見開き画像を生成する（Ｓ６１４）。そして、この見開き画像をプリンタドライバにより印字データ化して、複写装置９４０の出力部９４４に送信する（Ｓ６１６）。複写装置９４０は、受け取った印字データに基づいて、見開き画像を出力部９４４により印刷出力する（Ｓ６１８）。
【０２３０】
以上、本発明を実施の形態を用いて説明したが、本発明の技術的範囲は上記実施形態に記載の範囲には限定されない。上記実施の形態に、多様な変更または改良を加えることができ、そのような変更または改良を加えた形態も本発明の技術的範囲に含まれる。また、上記の実施形態は、クレームにかかる発明を限定するものではなく、また実施形態の中で説明されている特徴の組合せの全てが発明の解決手段に必須であるとは限らない。
【０２３１】
たとえば、上記各実施形態では、左綴じ原稿を読み取って中綴じ可能なように両面複写する場合について説明したが、右綴じ原稿、上綴じ原稿、下綴じ原稿など、見開き状態で原稿を読み取るものであれば対応可能である。これらの場合、既に図７について説明したように、それぞれの綴じ方に応じて、中綴じ可能なように両面複写する際のページ画像の配列位置（順番も）を決定すればよい。
【０２３２】
また上記各実施形態では、原稿Ｇの天地をセット基準に合わせるようにしていたが、これに限らず、“任意位置読取モード”としてプラテンガラス１１上の任意位置に載置することを許容してもよい。この場合、プラテンガラス１１上の略全面を走査し読み取った画像の中から、公知の画像認識の方法を利用して原稿Ｇ部分の画像を切り出せばよい。セット基準に対して傾きがある場合には、公知の画像回転の方法を利用してその傾きを補正すればよい。また、たとえば公知の文字認識の方法を利用して原稿Ｇの天地を判断すればよい。
【０２３３】
【発明の効果】
以上のように、本発明によれば、原稿載置台に載置された原稿の状態と転写用紙の形態とに基づいて、転写用紙上の転写結果が中綴じ可能な冊子となるように読み取ったページ画像の配置するページ順序を決定するようにしたので、冊子や週刊誌などの見開き原稿の綴じている部分を外さずに、中綴じ可能な冊子を簡単あるいは確実に作成することができる。
【図面の簡単な説明】
【図１】  本発明に係る画像読取装置の一実施形態である画像取得部を搭載したカラー複写装置の一例の機構図である。
【図２】  原稿をプラテンガラス上に載置する場合の置き方の一例を示す図である。
【図３】  中綴じ原稿を読み取って元の中綴じされた製本を作成する場合における、印刷用紙と原稿の頁番号との関係を示した図である。
【図４】  固定位置読取モード時の、原稿の載置の向きと、印刷用紙に複写された原稿画像の向きおよび位置の関係を示す図である。
【図５】  ユーザインタフェース部の一例、および確認画像の一例などを示す図である。
【図６】  ユーザインタフェース部および電子ソート部２００の機能構成の第１実施形態を示すブロック図である。
【図７】  中綴じ原稿の左右の各ページの画像と、中綴じ可能なように両面複写する場合の、各印刷用紙上のページ画像の配列順の決定方法を説明する図である。
【図８】  中綴じされた略定型サイズの見開き原稿の複写物を作成する場合についての、一連の処理手順の概要例を示したフローチャートである。
【図９】  第２実施形態の処理手順の概要例を示すフローチャートである。
【図１０】  第２実施形態の処理手順におけるレイアウト設定の一例を説明する図である。
【図１１】  第３実施形態の処理の概要を示す図である。
【図１２】  ユーザインタフェース部および電子ソート部の機能構成の他の形態（第４実施形態）を示すブロック図である。
【図１３】  第４実施形態の処理の一例を示したフローチャートである。
【図１４】  ユーザインタフェース部および電子ソート部の機能構成の他の形態（第５実施形態）を示すブロック図である。
【図１５】  第５実施形態の処理の一例を示したフローチャートである。
【図１６】  電子ソート部やユーザインタフェース部などをパソコンを利用して構成した場合における一構成例を示す図である。
【符号の説明】
１…カラー複写装置、１０…画像取得部、１１…プラテンガラス、１１６…プラテンカバー、１１８…原稿センサ、２０…画像処理部、２００…電子ソート部、２０２…記憶媒体、２０４…画像メモリ、２０６…ワークメモリ、２１０…画像認識部、２２０…画像分割部、２３０…記憶制御部、２４０…画像ソート部、２５０…画像再構成部、２６０…回転処理部、２７０…変倍処理部、２８０…変更受付部、３０…画像出力部、５０…反転機構部、５２…給紙トレイ、５４…用紙反転機構、５６…両面複写路、５８…印刷用紙サイズ検知部、６０…ユーザインタフェース部、６０２…キー入力部、６８０…ナビゲート部、６９０…表示部
【図１】
0003791409.tif 000002
【図２】
0003791409.tif 000003
【図３】
0003791409.tif 000004
【図４】
0003791409.tif 000005
【図５】
0003791409.tif 000006
【図６】
0003791409.tif 000007
【図７】
0003791409.tif 000008
【図８】
0003791409.tif 000009
【図９】
0003791409.tif 000010
【図１０】
0003791409.tif 000011
【図１１】
0003791409.tif 000012
【図１２】
0003791409.tif 000013
【図１３】
0003791409.tif 000014
【図１４】
0003791409.tif 000015
【図１５】
0003791409.tif 000016
【図１６】
0003791409.tif 000017